(57)【要約】  本発明は、広域スペクトルケモカイン阻害剤（ＢＳＣＩ）活性を有し、且つ抗炎症剤としての用途を有する、新規化学物質、及び医薬組成物の発見方法に関する。ある態様において、ＢＳＣＩ活性を有する化合物又は物質の同定方法は、以下の工程：（ａ）１又は２以上の候補化合物又は物質が、ソマトスタチン受容体、例えば２型ソマトスタチン受容体（ｓｓｔｒ２）への結合についてスクリーニングされ；その後（ｂ）前記ソマトスタチン受容体に対して結合を示す化合物又は物質が、機能アッセイでＢＳＣＩ活性について試験される、を含む。【特許請求の範囲】
【請求項１】
広域スペクトルケモカイン阻害剤（ＢＳＣＩ）活性を有する化合物又は物質（ａｇｅｎｔ）の同定方法であって、以下の工程：
（ａ）第一に、１又は２以上の候補化合物又は物質が、ソマトスタチン受容体への結合についてスクリーニングされ；その後、
（ｂ）前記ソマトスタチン受容体に対して結合を示す化合物又は物質が、機能アッセイでＢＳＣＩ活性について試験される、
を含む、前記方法。
【請求項２】
前記ソマトスタチン受容体が、２型ソマトスタチン受容体（ｓｓｔｒ２）である、請求項１に記載の方法。
【請求項３】
前記２型ソマトスタチン受容体がｓｓｔｒ２Ａである、請求項２に記載の方法。
【請求項４】
前記２型ソマトスタチン受容体がｓｓｔｒ２Ｂである、請求項２に記載の方法。
【請求項５】
ＢＳＣＩ活性についての前記機能アッセイが、インビトロでのケモカイン誘導性細胞遊走の抑制についてのアッセイである、請求項１〜４のいずれか１項に記載の方法。
【請求項６】
ＢＳＣＩ活性についての前記機能アッセイが、インビボでのケモカイン誘導性細胞遊走の抑制についてのアッセイである、請求項１〜４のいずれか１項に記載の方法。
【請求項７】
ＢＳＣＩ活性についての前記機能アッセイが、Ｔヘルパー細胞のサイトカイン分泌についてのアッセイである、請求項１〜６のいずれか１項に記載の方法。
【請求項８】
スクリーニングされる前記候補化合物又は物質が、ライブラリーから選択されるか又は一緒になってライブラリーを構成する、請求項１〜７のいずれか１項に記載の方法。
【請求項９】
スクリーニングされる前記候補化合物又は物質が、コンビナトリアルケミストリーにより製造される、請求項１〜８のいずれか１項に記載の方法。
【請求項１０】
試験される前記候補物質が、化合物の混合物である、請求項１〜９のいずれか１項に記載の方法。
【請求項１１】
前記ソマトスタチン受容体との分子相互作用が、前記ソマトスタチン受容体を発現する細胞全体、又は前記ソマトスタチン受容体を発現する細胞由来の膜を使用して行われる、請求項１〜１０のいずれか１項に記載の方法。
【請求項１２】
前記細胞が、前記ソマトスタチン受容体を過剰発現するように遺伝子操作されている、請求項１１に記載の方法。
【請求項１３】
前記細胞が、前記ソマトスタチン受容体の断片を発現するか、又は発現するように遺伝子操作されている、請求項１１又は１２に記載の方法。
【請求項１４】
前記ソマトスタチン受容体との分子相互作用が、単離されたか又は精製されたソマトスタチン受容体を使用して行われる、請求項１〜１０のいずれか１項に記載の方法。
【請求項１５】
単離されたか又は精製された前記ソマトスタチン受容体の任意の断片が使用される、請求項１４の方法。
【請求項１６】
前記候補化合物又は物質間の相互作用が、前記ソマトスタチン受容体に結合することができる別の標識リガンドとの競合により測定される、請求項１〜１５のいずれか１項に記載の方法。
【請求項１７】
前記候補化合物又は物質間の相互作用が直接測定される、請求項１〜１５のいずれか１項に記載の方法。
【請求項１８】
１又は２以上の前記候補化合物又は物質と前記ソマトスタチン受容体との相互作用が、測定されるか、又は任意の種類の科学文献又は既存のデータベースの調査により推測される、請求項１〜１７のいずれか１項に記載の方法。
【請求項１９】
広域スペクトルケモカイン阻害剤（ＢＳＣＩ）活性を有する化合物又は物質の同定方法であって、以下の工程：
（ａ）第一に、１又は２以上の候補化合物又は物質が、ソマトスタチン受容体への結合についてスクリーニングされ；その後、
（ｂ）前記ソマトスタチン受容体に対して結合を示す化合物又は物質が、機能アッセイでＢＳＣＩ活性について試験され；そして、
（ｃ）前記ソマトスタチン受容体に対して結合を示す化合物又は物質が、機能アッセイで古典的（ｃｌａｓｓｉｃａｌ）ｓｓｔｒ２アゴニスト活性について試験される；
を含み、ここで、工程（ａ）は最初に行われるが、工程（ｂ）及び（ｃ）は任意の順序で、又は同時に行われる、前記方法。
【請求項２０】
ＢＳＣＩ活性についての前記機能アッセイが、インビトロでのケモカイン誘導性細胞遊走の抑制についてのアッセイである、請求項１９に記載の方法。
【請求項２１】
ＢＳＣＩ活性についての前記機能アッセイが、インビボでのケモカイン誘導性細胞遊走の抑制についてのアッセイである、請求項１９に記載の方法。
【請求項２２】
ＢＳＣＩ活性についての前記機能アッセイが、Ｔヘルパー細胞のサイトカイン分泌についてのアッセイである、請求項１９に記載の方法。
【請求項２３】
古典的ｓｓｔｒ２アゴニスト活性についての前記機能アッセイが、下垂体ホルモン放出の抑制である、請求項１９〜２２のいずれか１項に記載の方法。
【請求項２４】
前記下垂体ホルモンが成長ホルモンである、請求項２３に記載の方法。
【請求項２５】
前記下垂体ホルモンが甲状腺刺激ホルモンである、請求項２３に記載の方法。
【請求項２６】
古典的ｓｓｔｒ２アゴニスト活性についての前記機能アッセイが、グルコース処理の調節である、請求項１９〜２２のいずれか１項に記載の方法。
【請求項２７】
前記グルコース処理の調節が、インスリン分泌を測定することによって検出される、請求項２６に記載の方法。
【請求項２８】
前記グルコース処理の調節が、グルカゴン分泌を測定することによって検出される、請求項２６に記載の方法。
【請求項２９】
前記アッセイがインビトロで行われる、請求項２３〜２８のいずれか１項に記載の方法。
【請求項３０】
前記アッセイがインビボで行われる、請求項２３〜２８のいずれか１項に記載の方法。
【請求項３１】
代替バイオマーカーが、古典的ｓｓｔｒ２アゴニスト活性の結果を検出するために使用される、請求項３０に記載の方法。
【請求項３２】
スクリーニングされる前記候補化合物又は物質が、ライブラリーから選択されるか又は一緒になってライブラリーを構成する、請求項１９〜３１のいずれか１項に記載の方法。
【請求項３３】
スクリーニングされる前記候補化合物又は物質が、コンビナトリアルケミストリーにより製造される、請求項１９〜３１のいずれか１項に記載の方法。
【請求項３４】
試験される前記候補化合物又は物質が、化合物の混合物である、請求項１９〜３３のいずれか１項に記載の方法。
【請求項３５】
前記ソマトスタチン受容体との分子相互作用が、前記ソマトスタチン受容体を発現する細胞全体、又は前記ソマトスタチン受容体を発現する細胞由来の膜を使用して行われる、請求項１９〜３４のいずれか１項に記載の方法。
【請求項３６】
前記細胞が、前記ソマトスタチン受容体を過剰発現するように遺伝子操作されている、請求項３５に記載の方法。
【請求項３７】
前記細胞が、前記ソマトスタチン受容体の断片を発現するか、又は発現するように遺伝子操作されている、請求項３５又は３６に記載の方法。
【請求項３８】
前記ソマトスタチン受容体との分子相互作用が、単離されたか又は精製されたソマトスタチン受容体を使用して行われる、請求項１９〜３４のいずれか１項に記載の方法。
【請求項３９】
単離されたか又は精製された前記ソマトスタチン受容体の任意の断片が使用される、請求項３８に記載の方法。
【請求項４０】
前記候補化合物又は物質間の相互作用が、前記ソマトスタチン受容体に結合することができる別の標識リガンドとの競合により測定される、請求項１９〜３９のいずれか１項に記載の方法。
【請求項４１】
前記候補化合物又は物質間の相互作用が直接測定される、請求項１９〜３９のいずれか１項に記載の方法。
【請求項４２】
前記ソマトスタチン受容体がｓｓｔｒ２である、請求項１９〜４１のいずれか１項に記載の方法。
【請求項４３】
前記ソマトスタチン受容体がｓｓｔｒ２Ａである、請求項４２に記載の方法。
【請求項４４】
前記ソマトスタチン受容体がｓｓｔｒ２Ｂである、請求項４２に記載の方法。
【請求項４５】
前記候補化合物又は物質と前記ソマトスタチン受容体との相互作用が、測定されるか、又は任意の種類の科学文献又は既存のデータベースの調査により推測される、請求項１〜４４のいずれか１項に記載の方法。
【請求項４６】
以前の工程の適用により選択された化合物内に存在する１又は２以上の構造モチーフに基づく、新規構造クラスのソマトタキシン（ｓｏｍａｔｏｔａｘｉｎ）を定義するための追加の工程を有する、請求項１〜４５のいずれか１項に記載の方法。
【請求項４７】
１又は２以上の前記候補化合物又は物質はソマトスタチンを除外する、請求項１〜４６のいずれか１項に記載の方法。
【発明の詳細な説明】
【技術分野】
【０００１】
本発明は、広域スペクトルケモカイン阻害剤（ＢＳＣＩ）活性を有し、且つ抗炎症剤としての用途を有する、新規化学物質、及び医薬組成物の発見方法に関する。
【０００２】
ケモカインは、哺乳動物の免疫系の制御において重要な役割を果たす約５０個の、構造が関連している、大部分が小さい（８〜１２kDa）タンパク質の群である。ケモカインリガンドは、約２０個の密接に関連した受容体を介してシグナルを出し、そしてそれらはＧタンパク質結合受容体（ＧＰＣＲ）の１型クラスのメンバーである。重要なことは、リガンドの多くは２種以上の受容体に結合し、かつこれを介して生産的にシグナルを出すことである。同様に、多くの受容体が２種以上のリガンドに結合する。
【０００３】
特定の種類の白血球上に、これらのケモカイン受容体の種々のサブセットが発現されている。この複雑な縮重の結果として、白血球動員の厳密な時間的及び空間的制御が可能である。ケモカインは免疫系の「交通警官」として中心的な役割を果たし、種々の白血球が、骨髄から血液を介して免疫応答の２次的リンパ組織又は免疫応答部位に取る複雑な経路をコードしている可能性がある。
【０００４】
このため、ケモカインシグナル伝達を調節する化合物は長い間、炎症性要素を有する非常に広範囲の疾患（例えば、アテローム性動脈硬化症、自己免疫疾患、アレルギー、湿疹、乾癬、又は神経変性障害）に有用な、新規抗炎症剤開発のための有望な候補と考えられている。これらの疾患のための新しい薬に対して大きなニーズがある：既存の小分子治療薬は一般に、有効であるが重篤な副作用がある（例えばコルチコステロイド）か、又は有効性は小さいが比較的安全である（例えばジクロフェナックのようなＮＳＡＩＤ）。生物学的治療薬（例えば、ＴＮＦ−αに対する抗体）はより特異的であるが、製造コストが高く、単純な経口投与には適していない。小分子ケモカイン阻害剤は、既存の生物学的抗炎症剤と比較して、他の群の小分子抗炎症剤より有効性と安全性の兼ね合いが優れている可能性があり、改良された薬剤学的性質（コストを含む）を与える。
【０００５】
残念ながら、特異的ケモカイン受容体アンタゴニストはこの可能性を実現するには進歩が遅い。まずこれらは、従来の大量処理分子スクリーニング法（例えば、リガンド：受容体相互作用を阻止することができる物質についての受容体結合アッセイで、ランダムなライブラリーがスクリーニングされる）を使用して見つけることが難しい。ケモカイン受容体間の類似性は、化合物がしばしばケモカイン受容体のサブセット（単一の受容体についての特異性を有する代わりに）と反応することを意味し、さらに悪いことに多くの初期ケモカイン受容体調節物質は、セロトニンやカテコールアミン系の関連受容体に結合し、挙動、血圧、及び他の表現型に好ましくない副作用を引き起こす。
【０００６】
第２に、あるクラス内の単一の受容体に対する優れた特異性（これは、従来の医薬開発思想の最大の目的である）は、これが最終的に達成されても特に有効ではないことが明らかとなった。同じ受容体に結合する多くの関連リガンド、及び多くのリガンドのためにシグナルを変換できるいくつかの受容体がある、ケモカインシステムの縮重のために、単一の受容体を阻止する物質は通常、一般的抗炎症性は無く、免疫系に対して失望するほどに弱い作用を有する。これは音楽の増幅器に例えることができる：抗炎症作用は「ボリュームコントロール」の調節を必要とするが、特異的ケモカイン受容体アンタゴニストは「グラフィックエコライザー」に対して作用する。すなわちこのような物質は、免疫応答の種類をわずかに調節する（おそらく、存在する白血球サブセットにより浸入物の細胞組成を変化させる）が、炎症の程度を定量的に低下させることはない。
【０００７】
その結果、ケモカインシステムが最初に記載されてから２０年以上経過し、その後主要な免疫調節標的として出現している２００９年でさえ、ヒトの治療薬として認可されているケモカイン阻害剤は無い（しかし、幾つかは特定の適応症で臨床治験の後期に入っており、炎症応答の種類の調節がある程度の効果を有している、例えばリウマチ様関節炎におけるＣＣＲ１ケモカイン受容体の特異的アンタゴニストであるＢＸ４７１がある（Horuk (2005) Mini Rev. Med. Chem. 5:791-804））。従って別のアプローチが必要である：多くのケモカインによるシグナルを同時に阻害する化合物（我々が広域スペクトルケモカイン阻害剤（broad-spectrum chemokine inhibitor）、又はＢＳＣＩと名付けた物質；Grainger & Reckless (2003) Biochem. Pharmacol. 65:1027-34; Grainger et al. (2005) Mini Rev. Med. Chem. 5:825-32）。
【０００８】
広域スペクトルケモカイン阻害剤（ＢＳＣＩ）活性を有する化合物は、広範囲の疾患を治療または予防するための抗炎症性薬物として有用な新しいクラスの物質（agent）である。ヒト疾患の動物モデルでは、アテローム性動脈硬化症、卒中、喘息、術的接着形成、子宮内膜症、皮膚炎、内毒素血症、及びリウマチ様関節炎において、ＢＳＣＩは白血球蓄積や疾患重症度の他のマーカーを低下させるのに有効であることが証明されている（Reckless et al. (2001) Immunology 103:244-54; Beech et al. (2001) J. Cereb. Blood Flow Metabol. 21:683-9; Grainger & Reckless (2003) Biochem. Pharmacol. 65:1027-34; Naidu et al. (2003) Ann. Thorac. Surg. 78:1118-22; Naidu et al. (2004) J. Heart Lung Transplant. 23:128-34; Reckless et al. (2005) J. Vasc. Res. 42:492-502; Berkkanoglu et al. (2005) Hum. Reprod. 20:3047-52; Kayisli et al. (2007) Reprod. Sci. 14:825-35; Hildebrandt et al. (2009)、印刷中）。ＢＳＣＩはまた、インビトロでＨＩＶ複製を抑制することが証明されている（ＨＩＶの細胞侵入のケモカイン依存性により生じる、抗炎症性に無関係の活性；Grainger & Lever (2005) Retrovirology 2:23）。
【０００９】
このような広範囲の疾患モデルで強力な抗炎症活性を有するにもかかわらず、クラスとしてのＢＳＣＩは、注目すべきことに毒性が無いか又は副作用が小さい（Schroff et al. (2005) Mini Rev Med Chem. 5:849-55）。例えばアミノラクタムＢＳＣＩは、広範囲の急性及び慢性毒性試験で多くの投与経路で評価されているが、作用の無いレベルが最大治療用量より少なくとも１，０００倍高い。これらのアミノラクタムＢＳＣＩはまた、優れた安全性薬理学的プロフィールを示す（ｈＥＲＧテール電流に対する作用がないか、又は遺伝毒性のアッセイにおいて作用がない；例えばＷＯ２００９／０１６３９０を参照）。
【００１０】
これらの知見はまとめると、ＢＳＣＩがクラスとして既存の抗炎症薬物（コルチコステロイドやＮＳＡＩＤを含む）と比較して、有効性と副作用との優れた兼ね合いを与えることができることを示唆する。従って、ＢＳＣＩ活性を有する組成物を同定する方法に対するニーズがある。
【００１１】
残念ながら、現在までに記載されているＢＳＣＩは運良く偶然同定されたものであり、新規の、潜在的に構造的関連性がないＢＳＣＩを同定する簡単な方法は無い。ＢＳＣＩ活性を有する最初の化合物は、ペプチド３（Peptide 3）と呼ぶペプチドであり、これはＭＣＰ−１の配列から選択され、複数のケモカイン受容体に結合する能力について試験された（Reckless & Grainger (1999) Biochem. J. 340:803-11）。ペプチド３は複数のケモカイン受容体に結合しないことがわかった（しかし実際は、細胞表面上野単一のまだ同定されていない高親和性部位に結合する；Grainger & Reckless (2003) Biochem. Pharmacol. 65:1027-34）が、少なくとも１０個の異なる受容体に結合することができるそれらの間で、少なくとも５個のケモカインに対するＢＳＣＩ活性を有した。
【００１２】
このペプチド３の構造鋳型から、ＢＳＣＩの一連の異なる構造群（ペプチド、ペプトイド、及び非ペプチド構造体を含む）が設計され、合成され、特徴づけされた。重要なことは、ペプチドのＢＳＣＩ活性の原因である構造モチーフは、ＷｘＱトリペプチド（ここで、Ｗはアミノ酸トリプトファンであり、ｘは任意のタンパク新生アミノ酸であり、Ｑはグルタミンである）まで絞られたことである。これは、ペプチドではないＷｘＱ模倣物の設計を可能にし、その１つ（Ｎ−アシルグルタリミドＮＲ５８，４）はＢＳＣＩとしてナノモル活性を有する（Fox et al. (2002) J. Med. Chem. 45:360-70）。
【００１３】
ＮＲ５８，４はＢＳＣＩとしてインビボで活性である（内毒素血症のような急性炎症のモデルで強力な抗炎症作用を有する）が、薬剤開発のための理想的な化合物ではないことが明らかになった。その必須のイミド環が血漿中で未特定のアミダーゼによる加水分解を受けやすく、その結果化合物はインビボで急速に不活性化された（Fox et al. (2005) J. Med. Chem. 48:867-74）。
【００１４】
その後、さらなる医学化学的研究により、ＢＳＣＩとしての効力（potency）を保持するがインビボでは安定である、関連性を有する種類の置換アミノラクタムが同定された。このクラスのＢＳＣＩの例には、Ｎ−オレオイル−３−アミノカプロラクタム（BN83253; Fox et al. (2005) J. Med. Chem. 48:867-74）がある。広範囲の、構造的関連性がある他のアミノラクタムＢＳＣＩも記載されている（例えば、ＷＯ２００５／０５３７０２、ＷＯ２００６／０１６１５２、ＷＯ２００６／０１８６０９、ＷＯ２００６／０８５０９６；ＷＯ２００６／１３４３８５、ＷＯ２００６／１３４３８４、及びＷＯ２００９／０１６３９０を参照）が、その少なくとも一部は、ヒトに対する医薬として開発するのに適した性質を有する。
【００１５】
必須であるＷｘＱファーマコフォアの構造に基づいて、別の群の非ペプチドＢＳＣＩも同定されている。アルカロイドであるヨヒンビン（yohimbine）（インドジャボク（Rauwolfia Serpentina）の根から得られるアルファ２−アドレナリン受容体ゴニスト）は、ＷＶＱトリペプチドの特定のコンフォメーションに似た炭素骨格を有し、ヨヒンビンの１７−アミド誘導体はＢＳＣＩのように高活性である（ＷＯ９９／１２９６８; Grainger et al. (2005) Mini Rev Med Chem. 5:825-32）。
【００１６】
現在までに記載されているすべての群のＢＳＣＩ間の構造的関係を図１に例示する。この図から、ＢＳＣＩのすべての群は互いの化学構造の類似性により特定されていることが明らかである。
【００１７】
既知の化合物と構造が関連していないＢＳＣＩを同定するための一般的方法は、現在存在しない。この限界に関する理由は、ＢＳＣＩの分子標的についての情報が欠如しているためである。これらのＢＳＣＩがケモカイン受容体アンタゴニストとして作用せず、試験したケモカイン受容体のいずれにも結合しないが、その代わりに細胞表面上の明確な（しかし同定されていない）高親和性部位に結合することがいったん明らかになると（Grainger & Reckless (2003) Biochem. Pharmacol. 65:1027-34）、従来の分子スクリーニング手段（例えば受容体結合アッセイ）を使用して、新規の、構造的に固有のＢＳＣＩ群を捜すことは不可能であった。機能スクリーニングツール（すなわち、ライブラリー要素が、いくつかの異なるケモカイン（非ケモカインではない）に応答して細胞遊走を阻止するかどうかを調べる）を使用して、ＢＳＣＩ活性について非常に小さいライブラリーを直接スクリーニングすることができるかも知れないが、このようなスクリーニング方策は、機能スクリーニングアッセイの労働集約的性質のために直ちに非現実的となる（細胞遊走の阻害剤を同定するための機能スクリーニングアッセイを実施するための技術困難さの詳細な総説については、Frow et al. (2004) Med. Res. Rev. 24:276-98を参照）。さらにこのような機能スクリーニングは、生物学的適合性がある緩衝液に可溶性でありかつ低細胞毒性（大量処理薬物スクリーニングについて使用される典型的なランダムライブラリーで大部分（確実に９０％を超える）の化合物を除外するパラメータ）を示す化合物にのみ適用することができる。簡単に説明すると、このようなアプローチは、ランダム化合物ライブラリーから完全に新しいクラスのＢＳＣＩを見つけるには全く現実的ではない。
【００１８】
新規の、構造的に固有であるＢＳＣＩを同定できる能力は、この薬剤群の臨床開発のために重要である。既存のＢＳＣＩは、臨床開発を通して進歩するため、最適ではない性質が特定される可能性は低い。ヒトに投与されたＢＳＣＩは現在まで無く、現在までに同定されていない副作用又は毒性のリスクは大きいままである。さらに悪いことに、明らかとされている副作用又は毒性の大部分は、関連構造を有する化合物クラスによって共有される、クラス効果の可能性がある。従って残念ながら、ＢＳＣＩについて現在まで記載されているすべてのクラスの化合物は、その構造類似性の結果として同定されたため、共有される副作用が見つかるリスクは高くなっている。
【発明の概要】
【００１９】
本発明は、添付の特許請求の範囲及び以下で定義される通り、ペプチド及びアミノラクタムの分子標的であるＢＳＣＩに関する我々の記述に一部基づく。それは、新規薬剤候補の機構を共有するが、必ずしも同一の構造モチーフを含まない、構造的に多様なＢＳＣＩファミリーを同定するために有用な第一の分子スクリーニング方法を提供する。
【００２０】
本発明は、ＢＳＣＩ標的受容体との相互作用について、１又は２以上の化合物（compound）若しくは物質(agent)がスクリーニングされ、その後の第２工程で、標的受容体と相互作用するこれらの化合物若しくは物質が、ケモカインにより誘導される白血球遊走を阻害する能力についてスクリーニングされるという方法を提供する。ケモカイン誘導性の白血球遊走を阻害する化合物若しくは物質は、その後インビトロでＢＳＣＩ活性について試験される。重要なことは、標的受容体に対してアゴニストである化合物又は物質必ずしもすべてが、ＢＳＣＩ活性を持ってはいないことである。従って本発明の２つの工程は、ＢＳＣＩ活性を有する化合物を同定するのに必要かつ十分である。
【００２１】
本発明の具体的な非限定例や追加の特徴は、以下の図面を参照して説明される。
【図面の簡単な説明】
【００２２】
【図１】本明細書に記載の主要なＢＳＣＩの構造を示し、そのすべてが共有する相互関係（及び共通の構造モチーフ）を例示する。
【図２】単一の受容体（灰色の形）での機能的選択性の概念を示す図である。
【図３】タンパク質コード枠中の単一のイントロン（より暗い四角）の選択的スプライシングの結果として、ｓｓｔｒ２遺伝子座から得られる２つの公知の代替転写体（Ｔ＃１とＴ＃２）を示す図である。
【図４】ＢＳＣＩＢＮ８３２５３の用量応答（ｘ軸、nM）と、ＭＣＰ−１誘導性ＴＨＰ−１細胞遊走（ｙ軸、阻害％）とに対する、ｓｓｔｒ２アンタゴニストＢＩＭ２３６２７（「Ｉ」）の濃度上昇の影響を示すグラフである。
【図５】ＢＳＣＩ（Ｓ）−３−（２’，２’−ジメチルプロピオノイルアミノ）ーテトラヒドロピリジン−２−オンの用量応答（「バレロラクタム（valerolactam）」；ｘ軸、nM）と、ＭＣＰ−１誘導性ＴＨＰ−１細胞遊走（ｙ軸、阻害％）に対する、ｓｓｔｒ２アンタゴニストＢＩＭ２３６２７（「Ｉ」）の濃度上昇の影響を示すグラフである。
【図６】細菌内毒素の単回腹腔内投与に応答する、ＴＮＦ−アルファ産生（ｙ軸、阻害％）に対する、ｓｓｔｒ２アンタゴニストＢＩＭ２３６２７とＢＳＣＩＢＮ８３２５０の同時投与（ｘ軸、mg/kg用量）の影響を示すグラフである。
【図７】細菌内毒素の単回腹腔内投与に応答する、ＴＮＦ−アルファ産生（ｙ軸、阻害％）に対する、ｓｓｔｒ２アンタゴニストＢＩＭ２３６２７とＢＳＣＩ（Ｓ）−３−（２’，２’−ジメチルプロピオノイルアミノ）−テトラヒドロピリジン−２−オンの同時投与（「バレロラクタム」；ｘ軸、mg/kg用量）の影響を示すグラフである。
【図８】細菌内毒素の単回腹腔内投与に応答する、ＴＮＦ−アルファ産生（ｙ軸、阻害％）に対する、ｓｓｔｒ２アンタゴニストＢＩＭ２３６２７と合成コルチコステロイドであるデキサメタゾンの同時投与（ｘ軸、mg/kg用量）の影響を示すグラフである。
【図９】ＴＨＰ−１細胞（左のパネル）と陽性対照として使用したＰａｎｃ−１細胞（右のパネル）から調製したｍＲＮＡ試料からの、逆転写（「ＲＴ」）有り（＋）及び無し（−）のＰＣＲ反応からのアンプリコンを明らかとする、臭化エチジウムで染色しＵＶ光透過により観察したアガロースゲルを示す。
【図１０】ＢＮ８３２５０の標識類縁体である４’，５’−3［Ｈ］−（Ｓ）−３−（２’，２’−ジメチルドデカノイル）アミノ−カプロラクタム（４，５−3［Ｈ］−ＢＮ８３２５０）の合成スキームを示す。化合物（Ｓ，Ｅ）−３−（２’，２’−ジメチルドデク−４’−エノイル）アミノ−カプロラクタム（上）はＰｄ触媒の存在下でトリチウムガスと反応して、４，５−3［Ｈ］−ＢＮ８３２５０（下）を形成する。
【図１１】ＴＨＰ−１細胞への４，５−3［Ｈ］−ＢＮ８３２５０（ｘ軸、nM）の特異的結合（ｙ軸、cpm）を示すグラフである。値は各ＢＮ８３２５０濃度での３回測定の平均（±ＳＤ）であり、非特異結合（過剰の非標識ＢＮ８３２５０の存在下）を引いてある。中心線は、単純な結合モデルを使用した時の最適フィットであり、外の線は９５％信頼限界を示す。
【図１２】ＴＨＰ−１細胞への１０nMの４，５−［3Ｈ］−ＢＮ８３２５０の結合（ｙ軸、結合した標識［cpm］）に対する、種々の濃度の非標識（Ｓ）−３−（２’，２’−ジメチルプロピオノイルアミノ）−テトラヒドロピリジン−２−オン（「バレロラクタム」）の影響を示すグラフとヒストグラムである。
【図１３】ポリリンカー中のＥｃｏＲＩ（５’）部位とＸｈｏＩ（３’）部位との間でクローン化されたヒトｓｓｔｒ２Ａをコードする１，１００bp ｃＤＮＡ（「ｓｓｔｒ２ａ」として示す）を有するｐｃＤＮＡ３．１＋（Invitrogen）のプラスミド地図を示す。
【図１４】親Ｊｕｒｋａｔ Ｔ細胞（白丸、実線）、ｓｓｔｒ２を発現するＪｕｒｋａｔ Ｄ３Ｂ細胞（黒丸、実線）、及びＴＨＰ−１細胞（点線）のＳＤＦ−１α誘導性遊走に対するＢＳＣＩ（ＢＮ８３２５０）の影響を比較する。（Ａ）では、ＢＮ８３２５０の濃度をｘ軸（nM）に示し、阻害％をｙ軸に示す。各細胞株の染色の分布を示す頻度ヒストグラムを、（Ｂ）ＴＨＰ−１細胞（＊＝特異的結合の３７５中央値単位）、（Ｃ）Ｊｕｒｋａｔ Ｄ３Ｂ細胞（＊＝特異的結合の４０中央値単位）、及び（Ｃ）Ｊｕｒｋａｔ Ｔ細胞（＊＝特異的結合の１中央値単位）に示す。各頻度ヒストグラムでは、ｘ軸はＦｌ１−Ｈを示し、ｙ軸はカウントを示す。頻度ヒストグラム（Ｂ）〜（Ｄ）の黒い線は、ＰＢＳのみによる染色を示す；薄い灰色の線は一次抗体対照を示し、中程度の灰色の線は、完全な染色反応を示す。
【図１５】ＴＨＰ−１細胞のＭＣＰ−１誘導性遊走（ｙ軸、阻害％）に対する種々の濃度のソマトスタチン１４（ｘ軸、nM）の影響を示す。点線は完全な阻害を示し、これはＢＳＣＩにより達成される。
【図１６】広範囲の「古典的」ｓｓｔｒ２アゴニスト（Ａ側）と「ＢＳＣＩ型」ｓｓｔｒ２アゴニスト（又は「ソマトタキシン類」、Ｂ側）の両方について、ｓｓｔｒ２結合の見かけの親和性（ｘ軸；ｓｓｔｒ２での「Ｋａ」、nM）に対するケモカイン誘導性遊走の阻害の効力（ｙ軸；ＥＤ５０対ケモカイン誘導性遊走、nM）をプロットしたグラフである。
【図１７】本発明の方法に従って試験するための候補ＢＳＣＩとして設計された、種々の新規ベータ−メチオニントリプトファンベースのｓｓｔｒ２アゴニスト（Ｌ−７９９，９７６と化合物Ａ〜Ｆ）の構造を示す。
【図１８】以下に説明される通り、本発明の根拠をなす概念を記載したベン図である。
【図１９】本発明の１つの実施態様に従う化合物Ｐ（ｘ軸、nM）によるケモカインＭＣＰ−１誘導性ＴＨＰ−１細胞遊走の阻害（ｙ軸、パーセント値として示す）を示すグラフである。
【図２０】化合物Ｐ（ｘ軸、nM）による成長ホルモン（ＧＨ）放出の阻害（ｙ軸、パーセント値として示す）を示すグラフである。
【図２１】Medrol（登録商標）（Ａ）又は化合物Ｐ（Ｂ）で治療した患者からの血清試料中の、炎症の代替マーカーとしてのＣ−反応性タンパク質（ＣＲＰ；ｙ軸、ng/ml）のレベルを比較するヒストグラムである。カラムは、投与前（ａ）と最後の投与日（ｂ）のＣＲＰレベルを示す。星印はｐ＝０．０２であることを示す。
【発明を実施するための形態】
【００２３】
ペプチド及びアミノラクタムのＢＳＣＩのための標的受容体がソマトスタチンの２型受容体（ｓｓｔｒ２）として本明細書において開示（後述の実施例参照）され、したがって本発明の方法は、ある態様において、sstr2との相互作用について、１又は２以上の化合物をスクリーニングすることを含む。
【００２４】
本発明の方法の応用例として、スクリーニングされる１若しくは２以上の化合物（又は１若しくは２以上の物質）はまず、ｓｓｔｒ２を発現する細胞を、試験化合物の存在下及び非存在下で、ｓｓｔｒ２のリガンド（例えば標識ソマトスタチン）に結合することができる放射性リガンドに曝露することにより、ｓｓｔｒ２と相互作用する能力について試験される。試験化合物がｓｓｔｒ２受容体と相互作用する場合、受容体に特異的に結合するソマトスタチンの量は変化するであろう。このような受容体結合アッセイは、同じ目的を達成するために多くの異なる方法で行うことができる：異なるリガンドが使用され得る（例えば、ｓｓｔｒ２特異的アンタゴニストＢＩＭ２３６２７；Tulipano et al. (2002) 143:1218-24）；リガンド結合を視覚化するために、異なるレポーター系が使用され得る（シンチレーション近傍（scintillation proximity）アッセイと蛍光分極は、このような２つの例である）；組換え系とは異なる細胞（細胞膜調製物、又はｓｓｔｒ２発現細胞を含む）が使用され得る；細胞を試験化合物に曝露するのに、異なるビヒクルが使用され得る；リガンドの特異的に結合を観察するのに、異なる緩衝液条件が使用され得る、など。
【００２５】
上記に続き、ソマトスタチン自体は、本発明の候補化合物又は物質として除外され得る。
【００２６】
第２の工程で、ｓｓｔｒ２受容体と相互作用を示した化合物又は物質は、ケモカイン誘導性白血球遊走の阻害についてスクリーニングされる。例えば白血球が、ケモカインＭＣＰ−１の勾配の存在下でTranswell（登録商標）遊走アッセイプレートに入れられ、試験化合物の存在下又は非存在下において、３７℃で２時間インキュベートされる（Frow et al. (2004) Med. Res. Rev. 24:276-98）。次に、この実験の最後に、遊走を行った細胞の数を、例えば生体染色色素ＭＴＴと標準曲線への内挿を用いて測定する。試験化合物がケモカイン誘導性遊走を阻害する場合、化合物を受けるウェル中で遊走するものは少ないであろう。このような遊走アッセイは、同じ目的を達成するために多くの異なる方法で行い得る：異なる遊走チャンバーを使用し得る（マルチウェルフォーマットTranswell（登録商標）遊走チャンバー、従来のボデンチャンバー、ゲル内遊走ウェル、ダンチャンバーなど）；異なるケモカインを使用し得る（ＳＤＦ−１α、ＩＬ−８、ＭＩＰ−１α、ＲＡＮＴＥＳなど）；異なる白血球をチャンバーに適用し得る（新たに調製された末梢血好中球若しくはリンパ球、腹膜マクロファージ、又はＴＨＰ−１若しくはＪｕｒｋａｔのような細胞株を含む）；遊走した細胞の数を定量するために異なる検出系を使用し得る、など。
【００２７】
本発明の方法は、ＢＳＣＩ活性を有する可能性が最も高いものを同定するために、化合物又は物質のライブラリーをスクリーニングするのに容易に適用し得る。このようなライブラリーは、ランダムライブラリー（例えば、大量処理スクリーニング用の多くの薬品会社により使用される構造の多様な化合物の大きなライブラリー）であるか、又は指向性（directed）ライブラリー（例えば、限定された数の前駆体化合物に適用されるコンビナトリアルケミストリーにより合成されるライブラリー）であり得る。いくつかの指向性ライブラリーは、ＢＳＣＩ化合物（又は、従来のｓｓｔｒ２アゴニスト）を含有する可能性が高く、従ってこのようなライブラリーは本発明の方法を用いてスクリーニングする時、特に重要となり得る。例えば、我々がすでに開示した（ＷＯ２００６／０８５０９６参照）Ｇタンパク質アゴニスト濃縮ライブラリー（ＧＡＥＬ）ライブラリーは、ＢＳＣＩ化合物が特定のＧタンパク質共役受容体（ｓｓｔｒ２）で特殊なクラスのアゴニストとして作用していることが明らかなため、本発明の方法に従って生産的にスクリーニングされ得る。指向性ライブラリー（例えばＧＡＥＬ）の使用は、本明細書に開示した基準に従って候補ＢＳＣＩ活性を有する化合物を同定するために、スクリーニングされる必要のある化合物の数を減少させ得る。しかし本発明の方法は、充分にハイスループットであり、これはランダムライブラリーへうまく適用され、このような応用は本発明に包含され得る。
【００２８】
場合により、「古典的（classical）」ソマトスタチンアゴニストとしてのＢＳＣＩの活性も測定される。好ましくは、本発明の方法に従って同定される物質は、両方の種類の機能アッセイ（functional assay）（すなわち、ＢＳＣＩ活性についての細胞遊走アッセイ、及び古典的ソマトスタチン様活性についての機能アッセイ）で活性であるが、古典的ソマトスタチン受容体アゴニストとしてのその効力より強力な（すなわち、より低濃度で作用する）、ケモカイン誘導性白血球遊走の阻害剤である。
【００２９】
すなわち、最適なＢＳＣＩは本発明の方法に従って、以下の３つの性質のすべてを有する化合物として同定され得る：
【００３０】
（ｉ）化合物は、ｓｓｔｒ２受容体と、少なくとも１０μMの親和性で相互作用する（すなわち、化合物が１０μMで存在する時、存在するｓｓｔｒ２受容体の半分以上はそれらに結合された化合物を有する）；
（ii）化合物は、ケモカインにより誘導された白血球遊走を、少なくとも１μMの効力で阻害する（すなわち、化合物が１μMで存在する時、細胞遊走の程度は少なくとも５０％阻害される）；及び
（iii）古典的ｓｓｔｒ２アゴニスト活性の、１又は２以上のアッセイ中の化合物の効力（potency）は、白血球遊走の阻害についての効力より低い。
【００３１】
さらに好ましくは、化合物は、ｓｓｔｒ２受容体と少なくとも１μMの親和性で相互作用し得る；さらに好ましくは、化合物はケモカイン誘導性白血球遊走を、少なくとも１００nMの効力で阻害し得る；さらに好ましくは白血球遊走に対する化合物の効力は、ｓｓｔｒ２との相互作用の親和性又は古典的ｓｓｔｒ２アゴニスト活性の効力より、１０倍以上高いものであり得る。
【００３２】
さらに好ましくは、化合物は、ケモカイン誘導性白血球遊走を少なくとも１０nMの効力で阻害し得る；さらに好ましくは白血球遊走に対するか化合物の効力は、ｓｓｔｒ２受容体との相互作用の親和性又は古典的ｓｓｔｒ２アゴニスト活性の効力より、５０倍以上高いものであり得る。
【００３３】
本発明の方法により、従来のｓｓｔｒ２アゴニスト、例えばソマトスタチン−１４、オクトレオチド（octreotide）、ランレオチド（lanreotide）又はL-779,976 (Rohrer et al. (1998) Science 282:737-40)と、ＢＳＣＩ活性を有する化合物とを区別可能であることは明らかである。従来のsstr2アゴニストである化合物は、ケモカイン誘導性白血球遊走を阻害し得るが、これらは、sstr2との相互作用の親和性と、同様の効力又はより低い効力で阻害する。
【００３４】
同様に、従来のsstr2アゴニストは、sstr2を介して従来の作用（例えば、成長ホルモン放出の阻害、又は膵臓におけるインスリン放出の調節）を示すのと同様の濃度で、ケモカイン誘導性白血球遊走に対する作用を示すのみである。従って、従来のsstr2アゴニストは、ある投与量で抗炎症活性を有するが、このような化合物はソマトスタチンの作用を示し、同じ投与量でsstr2を介して作用する。本発明の方法の重要な利点は、抗炎症性を有する物質を単に同定するのみでなく、その抗炎症性が副作用を超える、優れたサブクラスの物質を同定することであることを、強調すべきである。具体的には同定される物質は、古典的sstr2アゴニストより大きな、抗炎症剤としての効力を有する（全ての、又は大部分のsstr2アゴニストにより共有されない性質）。
【００３５】
ペプチドＢＳＣＩ及びアミノラクタムＢＳＣＩは、ｓｓｔｒ２アゴニストの特別な（及び、まだ同定されていない）サブセットである。これらのＢＳＣＩと従来のｓｓｔｒ２アゴニストは共通の分子標的（ｓｓｔｒ２受容体）を共有するが、この２群の物質は受容体への結合に対して異なる結果を引き起こす。この概念は、他の受容体について別のところで詳細に記載（Urban et al (2007) J. Pharmacol. Exp. Ther. 320:1-13）されており、機能的選択性（functional selectivity）と呼ばれている。有用なたとえは、受容体（この場合ｓｓｔｒ２）をピアノ鍵盤と見なすことである：多くの異なる手の位置（異なるリガンドに相当）は鍵盤（生産性結合に相当）と相互作用することができるが、それぞれ異なる和音の音を発生する（受容体からの異なる機能的結果に相当、例えば異なる第２のメッセンジャーが産生される）。この機能的選択性の概念を図２に示す。
【００３６】
ペプチド及びアミノラクタムのＢＳＣＩが、特別なクラスの機能選択的sstr2アゴニストであるという、本明細書に開示された知識は、ＢＳＣＩ活性を有する化合物を予め構造情報無しで（すなわち、すでに記載されているＢＳＣＩ化合物群に共通のファーマコフォアの情報無しで）同定することを可能にする。
【００３７】
このような化合物は、本発明の方法に従って、例えば以下のように同定され得る。最初の工程では、sstr2受容体との相互作用についてスクリーニングされる。次にＢＳＣＩは、従来の標的（例えば成長ホルモン放出の抑制）に対するsstr2アゴニスト活性より強力な効力で、ケモカイン誘導性白血球遊走を阻害する能力により、従来のsstr2アゴニストから区別される。場合により第４の工程で、これらのすでに開示されているものと構造的に無関係の新しいクラスのＢＳＣＩを定義する構造モチーフが同定され得る。
【００３８】
典型的にはこのような工程は、反復する構造要素が、ＢＳＣＩ活性を付与するのに必要なモチーフに一致する可能性が高くなるように、本発明の方法に従ってＢＳＣＩとして新たに同定された化合物間で構造要素を比較することを含み得る。次に、例えば関連する構造を有する種々の分子を合成して、モチーフの存在がＢＳＣＩ活性の存在に関連していることを証明することにより、そのようなモチーフの重要性を実験的に証明することができる。その結果、たとえクラスの単一のメンバーのみが、sstr2との相互作用についてのスクリーニングを介して独自に同定されたとしても、本発明の方法はＢＳＣＩ化合物のクラス全体を定義するために使用され得る（各クラスのメンバーは、構造が互いに関連している）。
【００３９】
すなわち、本発明の方法に従って同定されるＢＳＣＩ化合物は、新規であって構造が関連したＢＳＣＩ群の合成と特徴づけのための構造的リードとして働くことが企図される。その結果、本発明の方法により同定される最初のヒットのそのような構造誘導体は、本発明の方法の適用により直接同定はされないが、それらの同定における重要な工程は本発明の方法に依存し、従ってこの方法での、関連するＢＳＣＩ群の間接的同定が、本発明のこの態様に従って企図される。
【００４０】
本発明の方法に従ってライブラリーがスクリーニングされる場合、ライブラリーの要素は個々の化合物（又は、少なくとも実質的に純粋な化合物、ここで標的化合物は存在する物質の少なくとも２５％を占め、それより高レベルでは他の化合物は存在しない）でもよく、又はライブラリーの要素は化合物の混合物でもよい。要素が化合物の混合物である場合、混合物の成分は公知であり得るか又は（多くのコンビナトリアルライブラリー中のように）予測され得るか、又は未知（例えば、天然の生成物の単離体）であり得る。
【００４１】
本発明の方法に従ってスクリーニングされるライブラリー要素の一部又はすべてが（組成が既知であるか又は未知である）混合物である場合、本発明の方法の第１工程後、sstr2との相互作用の原因である混合物から特定の化合物が単離され、同定された後、第２工程（ケモカイン誘導性白血球遊走に対する化合物の作用の評価）が適用されることが企図される。そのような単離工程がその方法に含まれていない場合、その方法は混合物中の単一の化合物が（必要に応じて）ＢＳＣＩ活性を有する場合を、混合物中の１つの化合物が従来のsstr2アゴニスト活性を有し、第２の無関係の化合物がＢＳＣＩ活性と関係の無い機構により白血球遊走を阻害した場合から区別できないであろう。
【００４２】
例えば、ソマトスタチン−１４（従来のｓｓｔｒ２アゴニストであるがＢＳＣＩではない）とアジ化ナトリウム（細胞の遊走を阻止するがＢＳＣＩではない細胞毒素）との混合物からなるライブラリー要素に本発明の方法を適用した場合、この混合物はｓｓｔｒ２と強い相互作用を示し、（存在するアジ化物の相対的濃度に依存して）ｓｓｔｒ２での親和性から予測される効力より高い効力でケモカイン誘導性白血球遊走を阻害し得る。そのような混合物は、間違ってＢＳＣＩとして同定され得る。しかし、もし上記したようにｓｓｔｒ２（本例におけるソマトスタチン）との相互作用の原因である混合物の成分が、ケモカイン誘導性遊走に対する作用をアッセイする第２の工程を適用する前に混合物から単離された場合、この方法は混合物をＢＳＣＩ活性が欠如しているとして正しく同定し得る。
【００４３】
原則的には、本発明の方法の工程は任意の順序で適用できる（例えば、試験中の化合物の、ケモカイン誘導性遊走の阻害剤としての効力を測定し、次にsstr2との化合物の相互作用（もしあれば）の親和性を測定することが、原則的に可能である）が、そのような方法は本発明の好適な態様の利点が欠如している。これらの状況では、機能アッセイを使用してランダムライブラリーをスクリーニングすることができない（毒性で不溶性の化合物の存在のために、ならびにそのようなスクリーニングの資源の関係で）。従って好適な本発明では、sstr2との相互作用についてのスクリーニングが最初の工程として行われ、次にケモカイン誘導性白血球遊走の阻害のために機能アッセイが行われる。sstr2との相互作用を評価するためのスクリーニング（分子スクリーニングの例）は、ケモカイン誘導性白血球遊走に対する活性の測定（機能性スクリーニングの例）よりも、スクリーニングされる化合物当たりの必要な資源量がはるかに少ないため、この工程順序は、入手可能な資源の最適使用を反映する。
【００４４】
本発明の方法の適用は、仮想のスクリーニング、ならびに実際の若しくは物理的スクリーニングを含むことが企図される。すなわち、本発明の方法に従って候補ＢＳＣＩとして化合物を同定するのに必要な情報の一部（又はすべて）は、すでに利用可能である。例えば化合物のライブラリーは、本開示前にsstr2との相互作用についてすでにスクリーニングされており、結果が（例えば、コンピューターのハードディスク中に）保存されているかも知れない。従って、ライブラリーからの化合物のサブセットが、白血球中のケモカイン誘導性遊走の阻害剤として選択され、次にその効力が試験され、本発明の方法に従って候補ＢＳＣＩとして同定され得る。そのような手順が、本明細書に開示された方法の適用であり、候補ＢＳＣＩを同定するために開示された基準に依存することは明らかである。同様に、一連の化合物について、sstr2とのそれぞれの相互作用の親和性がすでに公知であり、かつ別にケモカイン誘導性白血球動員の阻害のための化合物の効力がすでに公知である場合、どの化合物が候補ＢＳＣＩであるかを同定するための既存の情報の組合せは、新規の実験が必要ではない場合でも、本発明の方法の適用であり得る。
【００４５】
特に、本発明の１又は２以上の工程が新規の実験を必要しない場合、その工程は任意の順序で実施できる（すなわち、本明細書に記載の好適な順序である必要は無い）。
【００４６】
ｓｓｔｒ２遺伝子によってコードされる、ｓｓｔｒ２受容体は、ｓｓｔｒ２Ａ及びｓｓｔｒ２Ｂ（図３）と命名された、選択的スプライシング（Olias et al. (2004) J. Neurochem. 89:1057-91及びそれの参考文献）から生じる、少なくとも２つの異なる変異体（variant）が存在する。ｓｓｔｒ２ＡをコードするスプライシングされたｍＲＮＡは、追加のエキソンを有し、そしてそれはｓｓｔｒ２Ｂ転写産物中で除かれている。このエキソンは、停止コドンを含み、その結果として、ｓｓｔｒ２Ａ及びｓｓｔｒ２Ｂタンパク質は、短いＣ末端細胞質側尾部においてのみアミノ酸配列が異なる。もしあれば、この選択的スプライシングがどのような機能的重要性を有し得るのかは明らかではないが、異なる細胞種は、異なる比率の２つの変異体を（少なくともｍＲＮＡレベルで）発現する。当該２つの変異体は、細胞外リガンド結合ループにおいて同一であるため、ｓｓｔｒ２を試験するために使用されるいずれの薬理学的物質も当該２つを機能的に区別しない（したがって、ｓｓｔｒ２特異的アンタゴニストは、両方の変異体形態へのリガンド結合を防止する）。結果的に、当該変異体形態のいずれか、またはそれらの両方は、本明細書に記載された方法のために使用され得る。
【００４７】
今までに試験されてきた、ＢＳＣＩに感受性を有する全ての細胞株は、ｓｓｔｒ２Ａのみを発現するか、又はｓｓｔｒ２Ａとｓｓｔｒ２Ｂの両方を発現する。さらに、ｓｓｔｒ２Ａの異所性の過剰発現は、抵抗性細胞株においてＢＳＣＩに対する感受性を付与する（以下の実施例５を参照）。結果的に、本発明の好ましい実施形態は、ｓｓｔｒ２Ａを（単体か、又はｓｓｔｒ２Ｂと一緒に）発現する細胞株からのデータを使用する。かかる細胞株は、天然でｓｓｔｒ２を発現し得るか、又はｓｓｔｒ２を発現するように（当技術分野で周知の方法によって）遺伝子操作され得る。
【００４８】
白血球上におけるソマトスタチン受容体の発現は既知である（例えば、Hiruma et al. (1990) Immunology 71:480-5; Tsutsumi et al. (1997) Cell. Immunol. 181:41-9; ten Bokum et al. (1999) J. Endocrinol. 161:167-75及びその中の参考文献; Elliot et al. (1999) Eur. J. Immunol. 29:2454-63; Talme et al. (2001) Clin. Exp. Immunol. 125:71-9; Dalm et al. (2003) Am. J. Physiol. Endocrinol. Metab. 285:E344-53; Lichtenauer-Kaligis et al. (2004) Eur. J. Endocrinol. 150:565-77を参照）。さらに、ソマトスタチン及び他のソマトスタチン受容体リガンドに対するアゴニストに帰因される抗炎症活性の記載が存在する（例えば、Paran & Paran (2003) Curr. Opin. Invetig. Drugs 4:578-82; Sener et al. (2005) Peptides 26:493-9; Gonzales-Rey et al. (2007) Ann. Rheum. Dis. 66:582-8、及びその中の文献; Armani et al. (2007) J. Leukoc. Biol. 81:845-55; Cury et al. (2008) Dig. Dis. Sci. 53:2516-20を参照）。従って本発明の新規性と進歩性は、ソマトスタチン受容体を介して作用するリガンドが、臨床的に有用な抗炎症作用を有し得るという発見（単一の工程のみを有する発明を教示する発見、すなわちｓｓｔｒ２との相互作用についてスクリーニングして、有用となり得る抗炎症剤を同定すること）には無い。その代わりに本発明は、ｓｓｔｒ２受容体に対するすべてのアゴニストの一部（及び、おそらく非常に小さい比率）が、実質的に古典的ソマトスタチン様活性（例えば、成長ホルモン分泌の抑制）の代わりに、抗炎症活性を有するという予想外の知見に関する。
【００４９】
この種の機能的選択性（異なるリガンドが、同じ受容体に結合しこれを活性化するが、顕著に異なる機能的結果を誘発する）は薬学の文献で公知である（総説については、Urban et al (2007) J. Pharmacol. Exp. Ther. 320:1-13を参照）が、確固たる文献は少ない。従って、ある受容体について又はある対の機能について、機能的選択性リガンドが存在するかどうかを推定することは不可能であろう。そのため我々の開示以前には、当業者は、ｓｓｔｒ２の活性化に関連する抗炎症活性は必ず古典的ｓｓｔｒ２様応答が伴うと妥当に結論付けており、抗炎症活性を有する新規薬剤の発見用の標的としてのｓｓｔｒ２の有用性を限定していた。我々の開示は、機能的選択性はｓｓｔｒ２で生じるのではなく、さらに、ほとんどまたは全く古典的ソマトスタチン様活性の無い、実質的な抗炎症活性を示すことがあり得ることを、明確に示す。我々の開示前に利用可能な情報では、当業者（本発明者らを含む）でさえ、この知見は予測されてはおらず、また可能であることも、もちろん確率が高いことも推定されなかった。
【００５０】
本発明は、機能的選択性を示し、ｓｓｔｒ２に対する古典的ソマトスタチン様活性よりもＢＳＣＩ活性を促進する物質の明確な同定のための方法を提供する。本発明を有効に実施するために、この機能的選択性が如何に達成されるかの分子的詳細も、所望の結果を規定するリガンド間の構造特性も理解する必要は無い。本開示において提供される情報は、本来は等しく有望な候補のプールから有用と思われる機能的選択性物質を選択することを、当業者に教示するのに必要かつ十分である。しかし、本知見が予測できない程度を例示し、如何に機能的選択性を達成しなければならないかを例示することが有用かも知れない。
【００５１】
リガンドが受容体に結合する時、リガンド分子と受容体タンパク質との間には複数の非共有結合的相互作用がある（特に限定されないが、ファンデアワールス力、水素結合、双極子相互作用、及び塩ブリッジを含む；図２参照）。これらの相互作用は、リガンドと受容体との相互作用の親和性（従って、他のタンパク質ではなく標的受容体への結合の選択性）と、リガンド結合に対するシグナル伝達応答の両方に関与する。天然のリガンドでは、これらの相互作用は受容体タンパク質のコンフォメーションの変化を引き起こす（受容体：リガンド複合体の最小エネルギーコンフォメーションは、分離した時の受容体とリガンドの最小エネルギーコンフォメーションとは顕著に異なる）。このコンフォメーションの変化は、シグナルを細胞の外へのリガンド結合から細胞内シグナル伝達カスケードに変換する。この変換は、直接的（内因性キナーゼ活性を有する受容体の場合のように）又は間接的（Ｇタンパク質結合受容体、例えばｓｓｔｒ２の場合のように）であり、コンフォメーションの変化は、１又は２以上の追加のタンパク質の会合を促進し、これはシグナルを変換する。受容体に結合し、天然のリガンドで見られる受容体中のコンフォメーション変化を再現する物質は、受容体に対するアゴニストであり得る（図２Ａ）。これらの変化を誘導することなく受容体に結合する物質はアンタゴニストであり得る（これが天然のリガンドへの結合を阻止すると仮定して；図２Ｂ）。しかし、異常な状況下では第３の可能性が出てくる：物質が結合し、非常に異なるセットのコンフォメーション変化を誘導し、これはシグナルの性質に定量的ではなく定性的変化を引き起こし、次にこれが変換される（図２Ｃ及びＤ）。機能的選択性（及びある程度は、スーパーアゴニスト及びインバースアゴニスト）の薬理学的現象を指示するのは、この第３の異常なシナリオである。
【００５２】
この分子的シナリオは、音楽に例えるとより理解し易いかも知れない。このモデルでは、ピアノ鍵盤は受容体の例えであり、ピアニストの手はリガンドである。通常の条件下では、手の作用（特定のコンフォメーション）は特定の和音を打つ。この「シグナル」は受容体に対するアゴニスト応答である。ピアノの蓋を閉じることは、鍵盤の位置でコンフォメーション変化を誘導することなくリガンドと受容体との相互作用を防止し、従って和音（アゴニストシグナル）は聞こえない。ピアノの蓋はアンタゴニストの類縁体である。ピアニストを鍵盤の弾き方を知らない小児（ライブラリーからランダムに選択される化合物の例え）に交換すると、ほとんどすべての場合に音楽の和音ではなく不可解な応答を出すであろう。しかしまれに、天才児に遭遇してピアニストとはまったく異なるきれいな和音を演奏するかも知れない。同じ受容体が機能的選択性で応答するようになった：異なるリガンドが同じ受容体から定性的に異なる応答を誘発する。
【００５３】
上記より、同じ受容体に結合する異なるリガンドから、機能的結果を予測する方法が存在しないことは明らかであろう。実際、ある受容体にとって、どのシグナルが可能であるかを予測することさえ不可能である（どのように鍵盤を押しても、ピアノの鍵盤からバイオリンの音を出すことはできないであろうという意味で）。偶然の発見後に、開示された情報に基づいて実験的スクリーニングを行うことが、所望の機能的選択性を有する物質（例えば、本明細書に記載のＢＳＣＩ）を発見する方法である。
【００５４】
本発明が、単独のそれぞれの工程が当該分野で公知の方法である、２又は３以上の工程からなることは明らかである。例えば、天然のリガンドの既知の作用を再現するために、又は天然のリガンドの既知の作用を阻止するために、ソマトスタチン受容体と相互作用する物質を捜すために、多くの場合に第１の工程が使用されていることは明らかである。同様に我々と他の研究者は、ＢＳＣＩ活性のために物質を特徴づけすることを目的として、ケモカイン誘導性白血球遊走の機能アッセイの使用を開示した。しかし本開示前には、全く異なる結果（ランダムライブラリー中のＢＳＣＩ活性を有する化合物についてスクリーニングする能力；ほとんどのソマトスタチン受容体相互作用性物質はＢＳＣＩではなく、ランダムライブラリー中のほとんどの要素は、ＢＳＣＩ活性に関する機能アッセイに適合しないため、当該能力は、いずれかの工程を単独で使用して達成することはできない）を達成するために、これらの２つの方法を結びつけ、これらを連続して行うための可能な理論的根拠はなかった。しかし、ペプチド及びアミノラクタムのＢＳＣＩが、ｓｓｔｒ２に対するアゴニストの特別なサブクラスであり、機能的選択性により作用するという情報（これは、本文書において初めて開示される）は、これらの２つの無関係のプロセスを組合せて、予想外の有用性を有する新規方法とすることにより、本発明を可能にする。本発明の方法のうまいたとえは、新しいペプチドの組成物である：ペプチドは（ほとんどすべて）同じアミノ酸構成単位からなり、同じ方法で結合される。しかし、非常に多くの組合せがあるため、特定の機能を有する特定の組合せ（新しいペプチド配列）の同定は進歩性があると見なされる。同様に、ＢＳＣＩが作用できる非常に多くの可能な受容体があり（検索が、インビボで抗炎症活性を仲介できることが公知のものに限定されていても）、それぞれの受容体に対する分子スクリーニングを、ＢＳＣＩ活性についての機能スクリーニングと組合せようとすることは実現不可能であった。本発明は、ランダムライブラリーからＢＳＣＩを同定するための方法を提供することにより、最初は等しく可能なはずであった多くの他の組合せより予想外かつ特に優れた有用な組合せについての、この実現不可能な検索を克服する。
【００５５】
本明細書に記載の方法は、他の種（特に限定されないが、マウス、ラット、イヌ、及び霊長類、ならびに非哺乳動物種、例えば鳥）のｓｓｔｒ２のホモログに等しく適用し得る。ｓｓｔｒ２の非ヒトホモログが、ヒトでの使用を目的（例えば、抗炎症性薬物として）とした本発明に従って、化合物を同定するために使用されるなら、非ヒト受容体を使用して同定される物質をヒト受容体に対する機能的選択性についてチェックする追加の工程が必要とされ得る。実質的配列及び、ヒトｓｓｔｒ２と他の種におけるそのホモログとの間の相同性のために、非ヒトｓｓｔｒ２に適用される、本発明の方法を使用するＢＳＣＩとして同定された物質の大部分がまた、ヒトｓｓｔｒ２を介して作用するＢＳＣＩであり得、非ヒトｓｓｔｒ２の使用がヒト受容体の使用と置き換え可能であると考えられ得ることが予想される。しかし好ましくは、ヒト系でのＢＳＣＩ活性がスクリーニング操作の所望の結果であるなら、本発明の方法はヒトｓｓｔｒ２に適用されるはずである。もちろん、所望の結果が方法の非ヒト系でのＢＳＣＩ活性（例えば、獣医学的薬剤）であるなら、１又は２以上の標的種からのｓｓｔｒ２類縁体を使用することが最も好適であり得る。
【００５６】
本発明の方法は、受容体の断片がソマトスタチン又は完全長受容体の別のリガンドに結合する能力を保持するなら、受容体の不完全な断片を使用して適用することができることが企図される。典型的にはそのような機能性断片は、タンパク質配列の大部分を含有するが、リガンド結合に関与しない部分は（例えば、発現又は安定性を改善するために）、本発明の適用に影響を与えることなく欠失し得る。
【００５７】
受容体（ｓｓｔｒ２）への試験物質の結合が、間接的（受容体に対する、あらかじめ標識されていた別のリガンドとの結合の競合により）に又は直接的（試験物質自体が標識物を有する）に測定できることは明らかであろう。本発明の範囲は、試験物質と受容体との相互作用を検出するために使用される方法には決して限定されない。
【００５８】
試験物質のＢＳＣＩ活性を検出するために使用される機能アッセイが、インビトロ（例えば、Transwell（登録商標）遊走アッセイを使用して）又はインビボ（例えば、ケモカインの腹腔内注入後、応答する白血球動員の評価を使用して）でも実施できることは明らかであろう。さらに、ＢＳＣＩ活性の評価のために白血球動員（インビトロとインビボの両方）の代替マーカーを使用することができる。例えば白血球は、（活性化されている時は特に）サイトカインＴＮＦ−アルファを発現することが知られている。その結果、インビトロ又はインビボでのＴＮＦ−アルファの測定レベルは、白血球動員を評価するための代替法であり、従ってＢＳＣＩ活性を測定するための方法である。本発明の範囲は決して、特定の試験化合物に関連するＢＳＣＩ活性を検出するために使用される方法に限定されるものではない。
【００５９】
試験物質の古典的ｓｓｔｒ２アゴニスト活性を検出するために使用される機能アッセイが、インビトロ（例えば、下垂体細胞からのＧＨ放出を測定することにより）又はインビボ（例えば、血清中のＧＨレベルを測定することにより）でも実施できることは明らかであろう。さらに、古典的ｓｓｔｒ２アゴニスト活性を推定するために、代替マーカーを使用することができる。例えば、ＧＨレベルの指標として、従って古典的ｓｓｔｒ２アゴニスト活性の推定値として、ＩＧＦ−Ｉレベルが測定されるように、ソマトスタチン受容体アゴニストの例を使用して、ＧＨはインスリン様増殖因子Ｉ（ＩＧＦ−Ｉ）のレベルを制御する。本発明の範囲は決して、特定の試験化合物に関連する古典的ｓｓｔｒ２アゴニスト活性を検出するために使用される方法に限定されるものではない。
【００６０】
場合により、本発明の方法の前工程中に選択された化合物の１又は２以上の構造的特徴の存在に基づいて、新規な構造クラスの「ＢＳＣＩ型」sstr2アゴニスト、又は「ソマトタキシン（somatotaxin）」の同定を可能にするように、追加の工程を本発明の方法に付加してもよい。そのような構造モチーフの同定は、本発明の方法の適用を通じて、ライブラリー（ランダムライブラリーでも、選択される候補からなるものでも）からのリードを同定するために、その性質が実験的又は理論的に探索された化合物のみよりはるかに広範囲の「ＢＳＣＩ型」sstr2アゴニスト又は「ソマトタキシン」のアレイを可能とする。例えば、sstr2への結合についてのランダムライブラリーのスクリーニング（本発明の第１工程）後に、ケモカイン誘導性白血球遊走の阻害の測定（第２工程）、そして「古典的」sstr2標的に対する効力の随時測定により、本発明の方法に従っていくつかの新しい化合物を選択し得る。２又は３以上のこれらの選択された化合物は、共通の構造モチーフ（例えば、３−置換シス−デカリン環系の存在）を共有し得る。従って任意の追加の工程では、３−置換シス−デカリン環系の存在が化合物に所望の性質を付与し、適切な予測によりさらなる３−置換シス−デカリン含有分子を合成でき、その少なくとも一部が所望の性質を有し得ることは明らかである。そのような状況下では、「ＢＳＣＩ型」ｓｓｔｒ２アゴニスト活性又は「ソマトタキシン」活性に関連する新しい構造モチーフの定義は、本発明の方法の適用を構成し得る。
【００６１】
したがって本発明の方法は、少なくとも２つの工程を含み得る（ｓｓｔｒ２との相互作用の測定、次にＢＳＣＩ活性についての機能アッセイ）。場合により第３の工程を加えてもよい（「古典的」ｓｓｔｒ２アゴニスト活性についての機能アッセイ）。この第３の工程の利点は、「古典的」ｓｓｔｒ２アゴニストとして効力を有するよりも白血球遊走の阻害について強い効力を有する、ｓｓｔｒ２指向性ＢＳＣＩ内のサブグループを、当該工程が同定することである（すなわち、当該工程は「ソマトタキシン」サブクラスを同定する）。この追加の制限は、最大の効能を有し、且つ例えば下垂体ホルモンにおける又はグルコース処理における所望ではないｓｓｔｒ２媒介性効果を有する、抗炎症性医薬としての開発のために最も効力を有する化合物を同定し得る。しかし、特定の応用によっては、この追加の第３の工程を追加する資源上の問題が、調査中の化合物の機能的特性の改善された定義に関する利点を超え得る。場合により、追加の第３の工程が先に適用されてもされなくても、最終工程が加えられ得る（ＢＳＣＩ又はソマトタキシンについての構造モチーフを定義すること）。この最終工程の利点は、アッセイベースのスクリーニングではなく構造相同性により、所望の性質を有する化合物を選択することを可能にすることである。そのような「ヒット・トゥー・リード（hit to lead）」最適化プログラムは当該分野で公知であり、ヒトの薬剤として使用するのに適した新しい物質の発見への本発明の方法の適用を促進する。しかし特定の適用に依存して、この任意の最終工程を実施する資源の問題が、同定される化合物の範囲が拡張される利点より大きいかも知れない。
【００６２】
本明細書において用語「化合物（compound）」及び「物質（agent）」は一般に同義であると考えられ、従って文脈が特に明記しない場合は、相互に変換可能である。
【００６３】
用語「広域スペクトル（broad-spectrum）ケモカイン阻害剤」又は「ＢＳＣＩ」は、通常は異なる受容体を介して遊走を誘導するシグナルを出すが、非ケモカイン化学誘引物質により誘導される細胞遊走にはほとんど又は全く影響を与えない広範囲のケモカインに応答して、細胞遊走を阻害できる化合物又は物質を意味する。これは操作的な定義であり、完全に異なる分子機構の結果として異なる化合物若しくは物質がＢＳＣＩとなり得ることは明らかである。しかし本発明は、重要でかつ広範に研究されたＢＳＣＩの下位区分である、本発明で同定された、ｓｓｔｒ２又は関連する受容体を介して作用するＢＳＣＩの同定にのみ関連する。
【００６４】
用語「ＢＳＣＩ型ｓｓｔｒ２アゴニスト活性」は、インビトロ若しくはインビボでケモカイン誘導性細胞遊走に対する、ならびに関連するインビボでの免疫学的変化（例えば、Ｔヘルパー（ＣＤ４＋）細胞サイトカイン分泌プロフィールの再調整）に対する、特定のｓｓｔｒ２アゴニストの作用を示す。「ＢＳＣＩ型ｓｓｔｒ２アゴニスト活性」を有する物質はまた、本明細書において「ソマトタキシン」とも呼ばれ、したがって「ＢＳＣＩ型ｓｓｔｒ２活性」は「ソマトタキシン活性」とも呼ばれる。
【００６５】
用語「古典的(classical)ｓｓｔｒ２アゴニスト活性」は、ｓｓｔｒ２を充分なレベルで発現する細胞が、任意の公知のｓｓｔｒ２アゴニスト化合物（天然のリガンドであるソマトスタチンを含む）に曝露された時、おそらく異なる細胞種で、起きることが公知である一群の細胞応答を示す。古典的ｓｓｔｒ２アゴニスト活性の例は、下垂体細胞によるＧＨ放出の抑制、膵臓細胞によるインスリン放出の抑制であろう（Olias et al. (2004) J. Neurochem. 89:1057）。しかし種々の細胞に作用するｓｓｔｒ２アゴニストの他の広範囲の作用も記載されており、これら（上記した「ＢＳＣＩ型ｓｓｔｒ２アゴニスト活性」を除いて）もまた、古典的ｓｓｔｒ２アゴニスト活性を含む（Olias et al. (2004) J. Neurochem. 89:1057）。古典的ｓｓｔｒ２アゴニスト活性は、ＢＳＣＩ型ｓｓｔｒ２アゴニスト活性を除く、ｓｓｔｒ２アゴニストのすべての公知の活性として定義され、従ってｓｓｔｒ２アゴニストのすべての公知の活性は本定義により包含されることは明らかである。
【００６６】
用語「ｓｓｔｒ２」は、ヒト染色体１７ｑ２４上のｓｓｔｒ２遺伝子（ＨＧＮＣ ＩＤ：１１３３１；配列番号１に示される完全な遺伝子配列）によりコードされ、後述の配列表中の配列番号２で示されるアミノ酸配列をコードする、ヒトの２型ソマトスタチン受容体を示す。
【００６７】
特に明記しない場合、用語ｓｓｔｒ２は、配列番号１に示す遺伝子座の転写から得られる、オルタナティブ・スプライシングされたか又は示差的プロセシングされた任意のｍＲＮＡの生成物を包含することを企図する。疑問を避けるため、用語ｓｓｔｒ２は、タンパク質コード枠中に位置する単一のイントロンでｓｓｔｒ２ ｍＲＮＡの選択的スプライシングから得られるｓｓｔｒ２ａタンパク質とｓｓｔｒ２ｂタンパク質の片方又は両方を包含する。他の種の類縁体（analog）又は相同体（homolog）もまた、特定の文脈でナンセンスでない限りは、この用語に包含される。
【００６８】
用語「ソマトスタチン受容体」は、ソマトスタチンが高親和性（典型的には１μM又はそれ以下）で結合する任意の受容体（現在公知であっても公知でなくても）を示す。疑問を避けるため、これは、ｓｓｔｒ１、ｓｓｔｒ２、ｓｓｔｒ３、ｓｓｔｒ４、及びｓｓｔｒ５を含む。他の種の類縁体又は相同体もまた、特定の文脈でナンセンスでない限りは、この用語に包含される。
【００６９】
用語「ソマトスタチン受容体」はさらに、ヒトｓｓｔｒ２（上記した）のアミノ酸配列と、少なくとも５０％の同一性、例えば少なくとも５５％、６０％、６５％、７０％、７５％、８０％、８５％、９０％、９５％の同一性、又は少なくとも９６％、９７％、９８％、さらには９９％の同一性を有するアミノ酸配列を有するポリペプチドを包含する。ポリペプチドは好ましくは、上記のソマトスタチン受容体活性を有する。
【００７０】
アミノ酸配列間の配列同一性は、配列の整列を比較することにより決定することができる。比較される配列中の同等の位置が同じアミノ酸で占められる時、分子はその位置で同一である。整列を同一性のパーセントとしてスコア化することは、比較される配列が共有する位置での同一のアミノ酸又は塩基の数の関数である。配列を比較する時、最適な整列は１又は２以上の配列へギャップを導入して、配列中の可能な挿入や欠失を考慮することが必要な場合がある。配列比較法は、比較される配列中の同一分子の同じ数について、２つの比較配列間のより高い関連を反映するできるだけ少ないギャップの配列整列が、多くのギャップを有するものより、高いスコアを有するように、ギャップペナルティを使用する。最大同一性パーセントの計算は、ギャップペナルティを考慮して、最適整列を作成することを含む。
【００７１】
配列比較を行うための適切なコンピュータープログラムは、商業部門や公共部門で入手できる。例には、MatGat (Campanella et al., 2003, BMC Bioinformatics 4: 29; http://bitincka.com/ledion/matgatから入手できるプログラム)、Gap (Needleman & Wunsch, 1970, J. Mol. Biol. 48: 443-453)、FASTA (Altschul et al., 1990, J. Mol. Biol. 215: 403-410; http://www.ebi.ac.uk/fastaから入手できるプログラム)、Clustal W 2.0 and X 2.0 (Larkin et al., 2007, Bioinformatics 23: 2947-2948; http://www.ebi.ac.uk/tools/clustalw2から入手できるプログラム)、及び EMBOSS Pairwise Alignment Algorithms (Needleman & Wunsch, 1970, supra; Kruskal, 1983, In: Time warps, string edits and macromolecules: the theory and practice of sequence comparison, Sankoff & Kruskal (eds), pp 1-44, Addison Wesley; http://www.ebi.ac.uk/tools/emboss/alignから入手できるプログラム）がある。すべてのプログラムは、デフォールト・パラメータを使用して使用される。
【００７２】
例えば、配列比較は、EMBOSS Pairwise Alignment Algorithmsの「ニードル」法を使用して行われ、これは、長さ全体にわたって考慮される時の２つの配列の最適整列（ギャップを含む）を決定し、同一性パーセントスコアを提供する。アミノ酸配列比較のデフォールト・パラメータ（「タンパク質分子」オプション）は、ギャップエクステンションペナルティ：０．５、ギャップオープニングペナルティ：１０．０、マトリックス：Ｂｌｏｓｕｍ ６２である。ヌクレオチド配列比較のデフォールト・パラメータ（「ＤＮＡ分子」オプション）は、ギャップエクステンションペナルティ：０．５、ギャップオープニングペナルティ：１０．０、マトリックス：ＤＮＡｆｕｌｌである。
【００７３】
用語「ソマトスタチン」は、ソマトスタチンをコードする遺伝子の任意の産物（ヒトにおいては染色体３ｑ２８上のｓｓｔ遺伝子（ＨＧＮＣ ＩＤ：１１３２９）によりコードされる）を示し、そしてそれは当該遺伝子産物の制御されたタンパク質分解により生成される断片を含む。特に明記しない場合、用語ソマトスタチン（又はｓｓｔ）は、生物学的機能が割り当てられたタンパク質分解により生成される任意の断片（特に限定されないが、ｓｓｔ−１４及びｓｓｔ−２８を含む）を包含することが意図される。他の種の類縁体又は相同体もまた、特定の文脈でナンセンスでない限りは、この用語に包含される。
【００７４】
用語「白血球」は、血液中の任意の又はすべての白血球集団、ならびに骨髄又は２次的リンパ系臓器（例えば脾臓）中のこれらの細胞の前駆体、及び組織中のこれらの細胞の後代（例えば、破骨細胞、クプファー細胞、小神経膠細胞、肥満細胞、樹状細胞など）を示す。白血球の例には、単球、リンパ球（Ｂリンパ球とＴリンパ球の両方、キラーＴ細胞、ヘルパーＴ細胞、制御Ｔ細胞、及びナチュラルキラー細胞を含む）、及び顆粒球（好中球、好塩基球、好酸球）がある。
【００７５】
用語「効力（potency）」は、特定の作用を有するのに必要な特定の物質の濃度を説明するために使用される。典型的には効力は、試験中のエンドポイントを５０％阻害するのに必要な化合物の濃度とされる（ＥＤ５０又はＩＣ５０と呼ぶ）。従って低濃度でのＥＤ５０又はＩＣ５０は、高い効力を有する化合物を示す。効力は、試験した濃度で試験中のエンドポイントに対する化合物の最大作用を示す「出力（power）」（後述）とは完全に異なる。化合物は、高効力であるが低い出力を有し（例えば、ＥＤ５０が０．０５nMでケモカイン誘導性遊走に対して作用するが、非常に高濃度でも遊走を４０％しか阻害しない）、又は低効力で高い出力を有する（例えば、ＥＤ５０が１０mMであるが、１００μMより高い濃度でエンドポイントを１００％阻害する）ことがある。
【００７６】
用語「出力（power）」は薬理学的アッセイに適用される時、そのアッセイでその物質の最適濃度を選択することにより得られる試験中のエンドポイントに対する、特定の物質の最大作用を説明するために使用される。最適濃度は、典型的には試験される最も高い濃度であるが、ある例（例えば、ベル型の用量応答が一般的に観察される場合、例えばケモカインに対する化学走化性応答）では、低濃度が試験中のエンドポイントに対して最大作用を有する場合がある。出力は効力とは関係無く、低効力を有する化合物が高い出力を有していたり、逆の場合もある。
【００７７】
用語「約」は、考慮される値の周りの間隔を示す。本特許出願において使用されるように、「約Ｘ］は、（Ｘ−Ｘの１０％）〜（Ｘ＋Ｘの１０％）、好ましくは、（Ｘ−Ｘの５％）〜（Ｘ＋Ｘの５％）の間隔である。
【００７８】
本説明中の数値範囲の使用は、その範囲内のすべての個々の整数と、ある範囲の最も広い範囲内の上限数と下限数とのすべての組合せを、本発明の範囲内に含めることを明確に企図する。
【００７９】
本明細書において、用語「含んでなる」は、含むことと、からなることの両方を意味するとして読まれるべきである。逆に発明が、ある化合物を「活性成分として含む医薬組成物」という用語は、この用語が、他の活性成分が存在してもよい組成物と、定義した１つの活性成分のみからなる組成物との両方を包含することを意味する。
【００８０】
以下の略語は、使用される場合、文脈から適切であるとしてポリペプチド又は他のアミド含有化合物の一部として単離されるものであっても、２０の天然に存在するタンパク質新生アミノ酸を意味する。
【００８１】
【表１】
2012519272.tif 000002
【００８２】
特に明記しない場合は、ここで使用されるすべての技術的・科学的用語は、本発明が関連する分野の当業者により通常理解されるものと同じ意味を有する。
【００８３】
本発明の具体的な非限定例や追加の特徴は、以下の図面を参照して説明される。
【００８４】
いくつかの図をさらに詳細に説明する。
図１は、ペプチド３（示していない）から得られる配列の環状レトロインベルソ（retroinverso）類縁体であるＮＲ５８−３．１４．３（「Ａ」）を示す。トリペプチドモチーフＷｘＱは主要なファーマコフォアとして同定され、ＷＶＱ（「Ｂ」）のようなトリペプチドはＢＳＣＩ活性を有する（低効力であるが）。ヨヒンバン（Yohinban）−１６ーアミド（「Ｃ」）とＮＲ５８，４（「Ｄ」）は、ＷｘＱトリペプチドの構造類縁体として同定された。次にＢＮ８３２５３（「Ｅ」）のようなラクタムが、ＮＲ５８，４のようなイミドの安定な類縁体として同定された。ＢＮ８３２５０（「Ｆ」）のような２，２−二置換が効力を増大させることをその後見出した。バレロラクタム（Ｖａｋｅｒｏｌａｃｔａｍ）、例えば（Ｓ）−３−（２’，２’−ジメチルプロピオノイルアミノ）−テトラヒドロピリジン−２−オン（「Ｇ」）は、カプロラクタムと同様の活性を有する。
【００８５】
図２ではパネルＡは、天然のリガンドが受容体と相互作用し、複数の応答（矢印）を発生することを示し、これは細胞内シグナル又は機能的結果であると解釈される。パネルＢでは、アンタゴニストは受容体に結合し、天然のリガンドが結合することを妨害するが、活性なシグナル伝達を誘導するのに必要な受容体部分とは反応しない。パネルＣでは、機能選択性アゴニストが、ある応答（太い矢印）を他の応答（細い矢印）より優先的に活性化するように、受容体に結合する。パネルＤでは、反対の機能的選択性を有する異なるアゴニストが例示される。
【００８６】
図３を参照して、転写体Ａ（「Ｔ＃１」）ではイントロンはスプライシングにより除去されておらず、翻訳停止コドンは、末端切断型タンパク質（ｓｓｔｒ２ａと呼ぶ）を与える。転写体Ｂ（「Ｔ＃２」）では、イントロンはスプライシングにより除去されており、翻訳は第２エクソン及び代替翻訳停止コードに進み、ｓｓｔｒ２ｂタンパク質（これは短いＣ末端テイルのみでｓｓｔｒ２ａとは異なる）を与える。ｓｓｔｒ２転写体を明確に同定するために使用されるＰＣＲプライマーの位置を、ｓｓｔｒ２プライマーセットについては（ａ）として、ｓｓｔｒ２Ａプライマーセットについては（ｂ）として示す。この２つの異なる転写体から得られるアンプリコンのサイズは、３９８bp（Ｔ＃１、ｓｓｔｒ２プライマーセット）、８７bp（Ｔ＃１、ｓｓｔｒ２Ａプライマーセット）、５７bp（Ｔ＃２、ｓｓｔｒ２プライマーセット）、及びバンド無し（Ｔ＃２ ｓｓｔｒ２Ａプライマーセット）である。
【００８７】
図４では、アンタゴニスト（黒い線、小さい四角）ＢＮ８３２５３の不在が、ＭＣＰ−１誘導性細胞遊走を用量依存的に阻害することがわかる。アンタゴニストの濃度が上昇すると（薄い灰色、大きい記号）、ＢＮ８３２６５３のＢＳＣＩ活性が次第に失われる。
【００８８】
図５では、アンタゴニスト（黒い線、小さい四角）の非存在下では、バレロラクタムはＭＣＰ−１誘導性細胞遊走を用量依存的に阻害する。アンタゴニストの濃度が上昇すると（薄い灰色、大きい記号）、ＢＮ８３２６５３のＢＳＣＩ活性が次第に失われる。このバレロラクタムＢＳＣＩはＢＩＭ８３２５３より３０〜５０倍強力であり、その結果、ＮＩＭ８３２５３からＢＳＣＩ活性を排除するには、より高濃度の競合的アンタゴニスト（ＢＩＭ２３６２７）が必要であることに注意されたい（このグラフを図４と比較）。
【００８９】
図６と７の両方では、ＢＳＣＩは、内毒素に応答したＴＮＦ−アルファ産生を用量依存的に阻害した（実線、四角記号）。ＢＳＣＩの見かけの効力は、ＢＩＭ２３６２７の同時投与により低下した（点線、三角記号）。
【００９０】
図８ではデキサメタゾンは、内毒素に応答したＴＮＦ−アルファ産生を用量依存的に阻害した（実線、四角記号）。ＢＩＭ２３６２７（点線、三角記号）の同時投与は、デキサメタゾンの見かけの効力に対して影響はなかった。
【００９１】
図９では、両方のタイプの細胞について、２つの異なるプライマーセットを使用し（図３参照）、１つはｓｓｔｒ２ａ転写体からアンプリコン（「Ａ」）のみを産生し、他はｓｓｔｒ２ａとｓｓｔｒ２ｂ（ここで「ｓｓｔｒ２」と記載する）から異なるサイズのアンプリコン（「Ａ＊」と「Ｂ」）を生成する。図９では、Ｍ１は３９８bpであり、Ｍ２は８７bpであり、Ｍ３は５７bpである。このデータは、ＴＨＰ−１細胞中のｓｓｔｒ２ａの発現を確認し、ｓｓｔｒ２ｂの存在については何の証拠も示さない。
【００９２】
図１２では，値は各薬剤濃度での三回測定値（±ＳＤ）である。過剰の非標識ＢＮ８３２５０（「Ａ」、１０nM ３Ｈ−ＢＮ８３２５０）との競合を、非特異結合の対照として示し、特異的結合を示す上の点線を決定する。陰性対照（「Ｂ」、過剰のコールド）が提供され、これは非特異結合を示す下の点線を決定し、一方、ＢＮ８３２５０の結合に対するｓｓｔｒ２アンタゴニストＢＩＭ２３６２７（「Ｃ」；１００μM）の影響を比較のために示す。
【００９３】
図１３では、ポリリンカー中の「＊」は、ＸｂａＩ部位の上流にＡＴＧがあることを示す。細菌とＪｕｒｋａｔ細胞中のプラスミドの存在について選択するために使用される、それぞれ「アンピシリン」と「ネオマイシン」抵抗性コーディング読み取り枠に注目されたい。ｃＤＮＡ挿入体は真核生物系ではＣＭＶプロモーター（「Ｐ ＣＭＶ」）下で発現され、標準的なポリアデニル化配列（「ＢＧＨ ｐＡ」）を有する。
【００９４】
図１４を参照して（Ａ）は、ＢＮ８３２５０がＪｕｒｋａｔ ３ＤＢのＳＤＦ−１α誘導性遊走を阻害（ＴＨＰ−１細胞で観察されるものより低効力であるが）するが、親Ｊｕｒｋａｔ Ｔ細胞株のＳＤＦ−１α誘導性遊走にはほとんどまたは全く影響が無いことを示す。各細胞株について、フローサイトメトリーにより測定されるｓｓｔｒ２Ａの細胞表面染色のレベルを、頻度ヒストグラム（Ｂ）〜（Ｄ）に示す。
【００９５】
図１６では、遊走に影響を与えない化合物は効力１０μMでプロットされ、従ってこれらがグラフに現れる。ＢＮ８３２５０（白三角）、（Ｓ）−３−（２’，２’−ジメチルプロピオノイルアミノ）−テトラヒドロピリジン−２−オン（白四角）、ソマトスタチン（白菱形）、及びＬ−７７９，９７６（白丸）は、グラフから特定することができる。すべての既知の「ＢＳＣＩ型」ｓｓｔｒ２アゴニストが右下に有り、すべての既知の「古典的」ｓｓｔｒ２アゴニストが左上にあることを強調するために、ＥＤ５０とＫａが等しい同一性の線が示される。
【００９６】
図１８に関して、楕円Ｂに示される幾つかのＢＳＣＩ（ペプチド３誘導体及びアミノカプロラクタム及びアミノバレロラクタム）が、２型ソマトスタチン受容体（ｓｓｔｒ２）アゴニスト（楕円Ａ）であることを、我々は本開示において初めて実証した。しかし、必ずしも全てのｓｓｔｒ２アゴニストが、ＢＳＣＩ活性を有するわけではなく、最適なサブセットを成すものの中でさえ、ソマトスタチンの「古典的」標的において行う（例えばＧＨ又はグルコース処理）よりも、白血球遊走の阻害剤として効力を有するものである。このスィートスポット（sweet spot）（「Ｃ」と標識された灰色の楕円）内の化合物は、抗炎症剤として特に有望な特性を有する（それらは、「古典的」ｓｓｔｒ２アゴニスト活性の存在によって引き起こされる副作用を欠いている可能性があるからである）。本発明の方法は、この新規に定義されたクラスの全く新しいメンバーを同定することを目的とする。星印で示される、このベン図の様々な部分に存在する化合物の例は、以下の通りである：領域１：ヨヒンバン−１６−アミド又はＭ３ケモカイン結合タンパク質；領域２：ペプチド３、ＮＲ５８−３．１４．３、ＢＮ８３２５３、ＢＮ８３２５０、又は（Ｓ）−３−（２’２’ジメチルプロピオニルアミノ）−テトラヒドロピリジン−２−オン；領域３：ソマトスタチン又はＬ７７９，９７６；領域４：ＢＩＭ２３Ａ１０８９又はＢＩＭ２３１２０。
【実施例】
【００９７】
実施例１：ｓｓｔｒ２アンタゴニストはインビトロでＢＳＣＩ活性を阻止する
既知のペプチドとアミノラクタムＢＳＣＩ化合物がｓｓｔｒ２受容体を介して作用することを証明するために、我々は一連の特異的ｓｓｔｒ２アンタゴニストを使用した。種々の構造が異なる化合物のＢＳＣＩ作用が、特定の受容体に対する一連のアンタゴニストにより阻止されるなら、ＢＳＣＩ活性が、使用したアンタゴニストに阻止される受容体への結合に依存すると結論する。
【００９８】
ここで我々は、ケモカインに応答して遊走を阻止する種々のＢＳＣＩの能力（ＢＳＣＩの標準活性）が、２型ソマトスタチン受容体（ｓｓｔｒ２）に特異的ないくつかのアンタゴニストによりインビトロで阻害されることを証明する。
【００９９】
方法：
これらの実験ではヒト骨髄単球性細胞株ＴＨＰ−１を使用したが、ヒト末梢血単球でも同様の結果が得られている。白血球遊走は、Neuroprobe（Gaithersburg, MD, USA）の９６ウェルフォーマットのTranswell（登録商標）アッセイシステムを使用して測定した。原理的にこのアッセイは、多孔性膜により分離された２つのチャンバーからなる。化学誘引物質を下の区画に入れ、細胞を上の区画に入れる。３７℃である時間インキュベーション後、細胞を化学誘引物質の方に動かすと、下の区画の細胞数は化学誘引物質の活性に比例する（一連の対照に対して）。
【０１００】
種々のアッセイ条件が、ケモカイン誘導性白血球遊走（ならびに、ｓｓｔｒ２アンタゴニストによるＢＳＣＩの又はＢＳＣＩ活性の影響）を実証するために許容されるが、ここでは具体例が提供される。この方法は、基本的に既に記載されているように行った（Reckless & Grainger (1999) Biochem. J. 340:803-11）。
【０１０１】
材料
Transwell（登録商標）アッセイシステムは、Neuroprobe（Gaithersburg, MD, USA）により製造された。
【０１０２】
使用したプレートは、ChemoTx（商標）プレート（Neuroprobe 101-8）と３０μlの透明プレート（Neuroprobe MP30）である。
【０１０３】
ゲイの平衡塩類溶液（Geys' Balanced Salt Solution）を、Sigma（Sigma G-9779）から購入した。
【０１０４】
脂肪酸を含まないＢＳＡを、Sigma（Sigma A-8806）から購入した。
【０１０５】
ＭＴＴ、すなわち３−（４，５−ジメチルチアゾール−２−イル）−２，５−ジフェニルテトラゾリウムブロミドを、Sigma（Sigma M-5655）から購入した。
【０１０６】
フェノールレッドを含まないＲＰＭＩ１６４０を、Sigma（Sigma R-8755）から購入した。
【０１０７】
ＴＨＰ−１細胞株（欧州セルカルチャーコレクション（European Cell culture Collection））を、白血球細胞集団として使用した。
【０１０８】
試験プロトコール
まず、上の区画に入れる細胞懸濁物を調製した。ＴＨＰ−１細胞を遠心分離（７７０×ｇ、４分）によりペレット化し、１mg/ml ＢＳＡ含有ゲイの平衡塩類溶液（ＧＢＳＳ＋ＢＳＡ）で洗浄した。次にこの洗浄を繰り返し、細胞を再度ペレット化した後、例えば標準的血球計算器を使用して計数するために少量のＧＢＳＳ＋ＢＳＡに再懸濁した。
【０１０９】
次に存在する細胞の数に応じてＧＢＳＳ＋ＢＳＡの容量を調整し、細胞の最終密度が１mlのＧＢＳＳ＋ＢＳＡ当たり４．４５×１０6細胞になるようにした。これにより、プレートの上部チャンバーに入れる各２５μlの溶液当たり１００，０００個のＴＨＰ−１細胞が確保された。
【０１１０】
ＭＣＰ−１誘導性遊走に対するＢＳＣＩ活性の逆転を証明するために、３ロットの細胞を調製する必要があった。４．４５×１０6細胞/mlのＴＨＰ−１細胞の懸濁物を、３つの瓶に分割した。１つの瓶にＢＳＣＩを適切な最終濃度で、適切なビヒクル中に加えた（例えば、（Ｓ）−３−（２’，２’−ジメチルプロパノイルアミノ）−テトラヒドロピリジン−２−オンを、ＧＢＳＳ中のストック溶液から１nMで加えた）。２つ目の瓶にＢＳＣＩを最初の瓶と同じ濃度で加えたが、さらにｓｓｔｒ２アンタゴニストも加えた（例えば、ＢＩＭ２３４５４［Tulipano et al. (2002) 143:1218-24］又はＢＩＭ２３６２７をＧＢＳＳ中のストック溶液から６６nMで加えた）。３番目の瓶に、適宜ＧＢＳＳ＋ＢＳＡ＋ビヒクルを加え、３つの瓶の中の容量が等しく対照として作用するようにした。
【０１１１】
次に、下の区画に入れる化学誘引物質溶液を調製した。ＭＣＰ−１をＧＢＳＳ＋ＢＳＡで希釈して、最終濃度を２５ng/ml（すべて添加後）とした。Frow et al (Med. Res. Rev. 24:276-98) が推奨するように、これはこのシステムで最大遊走を誘導するＭＣＰ−１の濃度である。この溶液を、細胞懸濁物と同様に３つの瓶に分割した。１つの瓶に、ＢＳＣＩを細胞懸濁物に加えたものと同じ最終濃度になるように加え、２番目の瓶に、ＢＳＣＩとｓｓｔｒ２アンタゴニストを両方とも細胞懸濁物に加えたものと同じ濃度になるように加え、残りの瓶にはＧＢＳＳ＋ＢＳＡ＋ビヒクルを適宜加えて、３つの瓶の中の容量を等しくした。下の区画の溶液中のＭＣＰ−１の最終濃度と上の区画の細胞の最終濃度とを確立する時、ＢＳＣＩとｓｓｔｒ２アンタゴニストを添加するために、液体の容量を考慮する必要があることに注意されたい。
【０１１２】
下のウェル用の化学誘引物質溶液と上のチャンバー用の細胞溶液をいったん調製した後、遊走チャンバーを組み立てた。２９μlの適切な化学誘引物質溶液をチャンバーの下のウェルに入れた。各条件を少なくとも３回測定で行った。すべての下のチャンバーを充填した後、多孔性膜を製造業者の説明書に従ってチャンバーに適用した。最後に２５μlの適切な細胞溶液を上の各チャンバーに加えた。蒸発を防ぐために、装置全体の上にプラスチックの蓋をかぶせた。
【０１１３】
組み立てたチャンバーを３７℃、５％ＣＯ2で２時間インキュベートした。ＧＢＳＳ＋ＢＳＡ中の細胞懸濁物も、同じ条件下にて試験管中でインキュベートした：これらの細胞は、各条件下で下のチャンバーに遊走した細胞の数を測定するための標準曲線を構築するために使用した。
【０１１４】
インキュベーションの最後に、上のチャンバーから液体の細胞懸濁物を静かに取り出し、２０μlの氷冷した２０mM ＥＤＴＡのＰＢＳ液を加え、装置を４℃で１５分インキュベートした。この操作により、膜の下側に付着していたすべての細胞が下のチャンバーに落ちた。
【０１１５】
インキュベーション後、フィルターを注意深くＧＢＳＳ＋ＢＳＡでフラッシュしてＥＤＴＡを洗い流し、次にフィルターを取り出した。
【０１１６】
次に、各条件下で下のチャンバーに遊走した細胞の数は、多くの方法（直接計数、蛍光性若しくは放射活性マーカー又は生体染色色素の使用による標識を含む）により測定することができる。典型的には我々は、生体染色色素ＭＴＴを使用した。３μlのストックＭＴＴを各ウェルに加え、次にプレートを３７℃で１〜２時間インキュベートし、その間、細胞内の脱水素酵素は可溶性ＭＴＴを不溶性の青いホルマザン生成物に変換し、これは分光光学的に定量することができる。
【０１１７】
並行して、８点標準曲線を準備した。上の各チャンバーに加えられた細胞の数（１００，０００）で開始して、ＧＢＳＳ＋ＢＳＡで２倍連続希釈を行い、プレートに細胞を２５μl加え、３μlのＭＴＴストック溶液を加えた。標準曲線プレートを遊走プレートとともにインキュベートした。このインキュベーションの最後に、沈殿したホルマザン生成物を乱さないように、下のチャンバーから注意深く液体を取り出した。短時間風乾後、下の各チャンバーに２０μlのＤＭＳＯを加えて青い色素を可溶化し、９６ウェルプレートリーダーを使用して５９５nmの吸光度を測定した。次に各ウェルの吸光度を標準曲線に内挿して、下の各チャンバー中の細胞数を推定した。
【０１１８】
ＭＣＰ−１刺激遊走は、ＭＣＰ−１が２５ng/mlで存在した下の区画に到達した平均細胞数から、ＭＣＰ−１を加えなかったウェル中の下の区画に到達した平均細胞数を引いて、計算した。
【０１１９】
種々の濃度のＢＳＣＩの存在下又は非存在下で起きたＭＣＰ−１誘導性遊走を比較することにより、ＢＳＣＩの影響を計算した。典型的には遊走の阻害を、ＢＳＣＩの存在下により阻止された総ＭＣＰ−１誘導性遊走のパーセントとして表わした。ほとんどの化合物について、種々の異なる化合物濃度（典型的には、１nM〜１μM、又はあまり活性ではない化合物の場合それ以上）で起きるＭＣＰ−１誘導性遊走の阻害を測定することにより、用量応答グラフを構築した。次に各化合物の阻害活性を、ＭＣＰ−１誘導性遊走を５０％だけ低下させるのに必要な化合物の濃度として表わした（ＥＤ50濃度）。ｓｓｔｒ２アンタゴニストとＢＳＣＩとの存在下で起きるＭＣＰ−１誘導性遊走を、ＢＳＣＩ単独（同じ濃度のＢＳＣＩ化合物）の存在下で起きるＭＣＰ−１誘導性遊走と比較することにより、ｓｓｔｒ２アンタゴニストの影響を計算した。ｓｓｔｒ２アンタゴニストがＢＳＣＩ化合物のＢＳＣＩ活性を阻害したなら、ＢＳＣＩ単独で処理したウェルより、ｓｓｔｒ２アンタゴニストとＢＳＣＩの両方で処理したウェルで、より多くの遊走が起きていることが予測された。
【０１２０】
結果：ＭＣＰ−１（２５ng/ml）は、ＴＨＰ−１細胞の実質的な遊走を誘導した（ＭＣＰ−１の無い対照ウェル中よりＭＣＰ−１の存在下で、２５，０００〜４０，０００個多い細胞が下のチャンバーに遊走する）。この遊走は、広範囲のＢＳＣＩにより用量依存的に阻害された。図４では、ＭＣＰ−１の阻害が、上昇する濃度のＢＳＣＩ ＢＮ８３２５３（Ｎ−オレオイル−３−アミノカプロラクタム；Fox et al. (2005) J. Med. Chem. 48:867-74）に応答して、ＴＨＰ−１細胞遊走を誘導したことを示す（小さい四角）。図５では、上昇する濃度のバレロラクタムＢＳＣＩ （Ｓ）−３−（２’，２’−ジメチルプロピオニルアミノ）−テトラヒドロピリジン−２−オンに応答したＭＣＰ−１誘導性ＴＨＰ−１細胞遊走の阻害を示す（小さい四角）。両方の場合に、６００nMのｓｓｔｒ２アンタゴニストＢＩＭ２３６２７の存在（ｓｓｔｒ２でこの化合物のＫｉより約１００倍高い；Tulipano et al. (2002) 143:1218-24）は、ＢＳＣＩ介在阻害を完全に防止した（すなわち、加えたＢＳＣＩの濃度に無関係に、高用量のＢＩＭ２３６２７の存在により、ＭＣＰ−１誘導性遊走は対照レベルまで回復される；図４と図５の三角）。
【０１２１】
低用量のＢＩＭ２３６２７（例えば、この受容体で作用するこの化合物についてのＫｉに近い６nM；図４と図５の中程度の大きさの菱形記号）では、ＢＳＣＩ作用は低用量のＢＳＣＩで阻害されたが、高用量ＴＨＰ−１では、誘導性細胞遊走はなお阻害された。これは、同じ部位への結合に対するＢＳＣＩとｓｓｔｒ２アンタゴニストとの競合に一致する。低ＢＳＣＩ濃度では、ｓｓｔｒ２アンタゴニストが結合し、遊走の阻害は見られない。ＢＳＣＩ濃度が上昇すると、徐々にｓｓｔｒ２がＢＳＣＩにより占められ、ｓｓｔｒ２により占められることはなく、ＢＳＣＩ活性が現れる。
【０１２２】
非常に低用量のＢＩＭ２３６２７（例えば、ｓｓｔｒ２で作用するこの化合物についてのＫｉより約１００倍低い０．０６nM；図４と図５の小さい菱形）では、ＢＳＣＩ作用はすべての濃度のＢＳＣＩ化合物で見られたが、低濃度ＢＳＣＩでは程度の小さい逆転が見られ、同じ部位へ結合するこれらの物質間の競合と再度一致する。
【０１２３】
これらの結果は、異なるＢＳＣＩ（（Ｓ）−３−（アダマンタン−１−カルボニルアミノ）−カプロラクタム（ＷＯ２００６／０１６１５２参照）とペプチド３（Reckless & Grainger (1999) Biochem. J. 340:803-11）を含む）を使用して、何度も再現されている。さらに、異なるｓｓｔｒ２アンタゴニスト（BIM 23454; Tulipano et al. (2002) 143:1218-24）を使用しても、同じ結果が得られている。従って我々は、ペプチドからアミノカプロラクタム、そして第３世代アミノバレロラクタムにわたる非常に異なる構造クラスの広範囲のＢＳＣＩ化合物について、ＢＳＣＩ活性はｓｓｔｒ２（又は、使用した両方のアンタゴニストにより阻害される密接に関連する受容体）により仲介されると結論付けた。
【０１２４】
他のソマトスタチン受容体について選択性のアンタゴニストを使用して、同様の実験も行われている。例えば、ｓｓｔｒ３とｓｓｔｒ５について選択性のアンタゴニストであるＢＩＭ２３６２７（Ipsen（Paris, France）から供与された）は、標的受容体のＫｉより１０倍超高い濃度のアンタゴニストでさえ、ＢＳＣＩ活性の逆転をほとんど起こさない（＜１０％）。
【０１２５】
実施例２：ｓｓｔｒ２アンタゴニストはインビボでＢＳＣＩ活性を阻止する
インビトロのＢＳＣＩ活性はｓｓｔｒ２（又は、ＢＩＭ２３６２７とＢＩＭ２３４５４に阻害される密接に関連した受容体）に仲介される。次に我々は、インビボのＢＳＣＩの抗炎症活性もｓｓｔｒ２依存性であることの証明を試みた。幸いにＢＩＭ２３６２７はインビボで活性であることが証明されており、急性の高用量投与後の少なくとも短時間で、古典的ｓｓｔｒ２介在シグナルを阻止することができる（Tulipano et al. (2002) 143:1218-24）。従って、急性炎症のモデルを採用するなら、ＢＳＣＩの抗炎症作用が、同時のｓｓｔｒ２阻止により阻害されたかどうかを決定することができるであろう。
【０１２６】
マウスの致死的ではない内毒素血症モデルが我々の実験室で詳細に特徴づけされているため、我々はこのモデルを選択した（例えば、Fox et al. (2002) J. Med. Chem. 45:360-70; Fox et al. (2005) J. Med. Chem. 48:867-74を参照）。細菌性リポ多糖（ＬＰＳ）の単回腹腔内注射に応答した全身性炎症の程度は、抗原刺激投与後２時間目に血清ＴＮＦ−アルファを測定することにより推定することができる。さらにこのモデルでは、ＢＳＣＩが炎症を強力に阻害することが知られている（Fox et al. (2005) J. Med. Chem. 48:867-74）。
【０１２７】
方法：マウス（ＣＤ１系統；成体のオス；１群６匹）を、適切な経路でＢＳＣＩ（適切なビヒクル中）又はビヒクル単独で処理した。例えば皮下注射（これは経口バイオアベイラビリティが悪いため）によりＢＮ８３２５０（図１参照）を投与し、一方（Ｓ）−３−（２’，２’−ジメチルプロピオニルアミノ）−テトラヒドロピリジン−２−オンを強制経口投与した。同時に各ＢＳＣＩ濃度で１セットのマウスに、４mg/動物（１２０mg/kg）のＢＩＭ２３６２７を皮下注射により投与した（ラットで、古典的ｓｓｔｒ２介在シグナル伝達（例えばＧＨ放出）を抑制することが知られている処理条件；Tulipano et al. (2002) 143:1218-24）。投与の３０分〜１時間後（ＢＳＣＩの最大血漿濃度が達成される時間）に、７５０μgのＬＰＳ（Sigma; L4130 lot#024K4077; 900,000 EU/mg）の腹腔内注射により炎症性抗原刺激が誘発された。
【０１２８】
さらに２時間後、ＣＯ2窒息により動物を屠殺し、心臓穿刺により血液を採取した。従来法で血清を調製し、血清中のＴＮＦ−アルファのレベルを製造業者の説明書に従ってＥＬＩＳＡ（R&D Systems; Murine Quantikine code# MTA00）を使用して測定した。
【０１２９】
結果：解析後、各群の動物の平均を報告した（残りの点から３標準偏差より高いか又は低いデータ点は除外した）。予想されるようにＬＰＳ抗原刺激は、３，０００ng/mlを超える平均に達するＴＮＦ−アルファのレベルで大規模な全身性炎症を誘導した（ＬＰＳ抗原刺激を受けなかった対照動物からの血清中の＜１０ng/mlと比較）。この炎症は、使用したＢＳＣＩに関係なく、ＢＳＣＩを用いる治療により用量依存的に劇的に阻害された（図６はＢＮ８２３５０を示す［図１］；図７は、（Ｓ）−３−（２’，２’−ジメチルプロピオニルアミノ）−テトラヒドロピリジン−２−オン［バレロラクタム］を示す）。
【０１３０】
インビボで活性のあるｓｓｔｒ２アンタゴニストであるＢＩＭ２３６２７の同時投与は、試験したすべての用量でＢＳＣＩの抗炎症性を顕著に低下させた（点線、図６と７の三角記号）。この観察結果は、別々の実験で各ＢＳＣＩについて２回繰り返された。我々は、ＢＩＭ２３６２７の同時投与により、ＢＳＣＩの抗炎症性効力が（採用されるＢＳＣＩに関係無く）１０〜１００倍低下すると予想している。これらの結果は、丁度我々がインビトロで観察したように（実施例１参照）、インビボのＢＳＣＩ活性がｓｓｔｒ２（又はＢＩＭ２３６２７により阻害される密接に関連した受容体）に依存することを明確に証明している。
【０１３１】
別のシリーズの対照実験で、ＢＳＣＩとは完全に無関係な機構により抗炎症活性を示す合成コルチコステロイドであるデキサメタゾンの抗炎症活性に対するＢＩＭ２３６２７の作用を調べた。デキサメタゾンは血清ＴＮＦ−アルファレベル（全身性炎症のマーカーとして）をＢＳＣＩと同程度に低下させた（図８を図６及び７と比較）が、非常に高用量ではデキサメタゾンはわずかにより強力（ＢＳＣＩの最大用量での約８０％の阻害と比較して、９０％を超えるＴＮＦ−アルファの阻害）であり、ＢＳＣＩはわずかにより強力であった（デキサメタゾンより３〜１０倍低い用量で、ＴＮＦ−アルファの統計的に有意な低下）。しかし、このモデルでの量の活性にもかかわらず、ＢＩＭ２３６２７の同時投与はデキサメタゾンの抗炎症性に全く影響を与えなかった（図８中の点線と三角記号）。従って我々は、ＢＩＭ２３６２７は炎症経路に対して特異的な作用は無く、ＢＳＣＩ（異なる機構で作用する他の抗炎症薬剤を除く）は、インビボでｓｓｔｒ２に高度に依存すると結論付けた。
【０１３２】
実施例３：ｓｓｔｒ２発現はＢＳＣＩ感受性に相関する
複数のｓｓｔｒ２特異的アンタゴニストの使用は、ＢＳＣＩ活性がｓｓｔｒ２との相互作用に、又は同じアンタゴニストにより阻害される異なる受容体（ｓｓｔｒ２に密接に関連している可能性がある）に依存することを示す。ｓｓｔｒ２がＢＳＣＩの分子標的であることをさらに示すために、我々は、ＢＳＣＩに対して異なる感受性を有する異なるタイプの一連の白血球中で、フローサイトメトリーにより及び定性的ＰＣＲにより、ｓｓｔｒ２レベルを測定した。ｓｓｔｒ２の存在とＢＳＣＩに対する感受性との相関は、ＢＳＣＩ活性がｓｓｔｒ２への結合又はその活性化を必要とするという結論を強固にした。
【０１３３】
方法：ｓｓｔｒ２に特異的な抗体を用いるフローサイトメトリーを使用して、ヒト末梢血白血球上のｓｓｔｒ２発現の相対レベルを推定した。全血を、製造業者の説明書に従ってErythrolyse (Serotec cat number: BUF04B)で処理した。得られた総白血球集団をウサギポリクローナル抗ヒトｓｓｔｒ２抗体 (Sigma, Cat code S0694; 1μg/ml) で染色し、次にＦＩＴＣで標識した抗ウサギ２次抗体 (Sigma F9887; 50μg/ml) により、具体的な白血球サブセットを明確に同定するために使用できる種々の白血球ＣＤマーカーに対するｒＰＥで標識した一群のモノクローナル抗体を用いて並行して染色した。そのｃＤＮＡマーカーに基づいて細胞集団をゲート制御した後、ｓｓｔｒ２染色の平均レベル（イソタイプ対照を引いて）を、３回測定値について平均±ＳＥＭとして報告した。ＴＨＰ−１とＪｕｒｋａｔ細胞の培養物を、細胞をErythrolyseで処理しなかった以外は同じプロトコールを使用して分析した。
【０１３４】
図３に示したプライマーセットを使用してＰＣＲを行い、ｓｓｔｒ２ａと２ｂ転写体とを区別した。製造業者の説明書に従ってRNAqueous 4PCR キット (Ambion, Cat code #1914) を使用して、ＴＨＰ−１とＪｕｒｋａｔ細胞からｍＲＮＡを調製した。次に、得られたｍＲＮＡ調製物を、逆転写酵素（ＲＴ）を使用してｃＤＮＡに変換し、次にこのｃＤＮＡを使用して、ｓｓｔｒ２プライマー、ｄＮＴＰ（Ambion）、ＰＣＲ緩衝液、及びＴａｑポリメラーゼを用いて、総量４５μlで以下のＰＣＲ反応を構成した。プライマー配列は以下の通りである：ｓｓｔｒ２前進プライマー 5'GCCAAGATGAAGACCATCAC 3'（配列番号３）、及び逆進プライマー 5'GATGAACCCTGTGTACCAAGC 3'（配列番号４）。ＰＣＲは、Peltier PTC-200サーマルサイクラーを製造業者の説明書に従って使用して、以下のサイクル時間と条件を使用して行った：９４℃で２分後、９４℃で３０秒、５５℃で３０秒、７２℃で１分を３０サイクル、そして最後に７２℃で１０分。増幅の最後に、生成物を臭化エチジウムの存在下で２％アガロースゲルで分離し、ＵＶトランスイルミネータ（Stratagene Eagle Eye II cabinet）で視覚化した。ｓｓｔｒ２を高レベルで発現することが知られているｐａｎｃ−１細胞（Li et al. (2004) J. Surg Res. 119:130-137）を陽性対照として使用した。逆転写酵素の無い反応物を陰性対照として使用した（ｍＲＮＡ調製物に混入しているゲノムＤＮＡの結果として偽陽性シグナルが得られないことを確認する）。さらに、ゲノムアンプリコンが大きさから容易に区別できるように、プライマーをエクソンの境界をまたぐように設計した。
【０１３５】
結果：ｓｓｔｒ２がいくつかの白血球集団で検出され、以前の報告と一致した（Hiruma et al. (1990) Immunology 71:480-5; Tsutsumi et al. (1997) Cell. Immunol. 181:41-9; ten Bokum et al. (1999) J. Endocrinol. 161:167-75 and the references therein; Elliot et al. (1999) Eur. J. Immunol. 29:2454-63; Talme et al. (2001) Clin. Exp. Immunol. 125:71-9; Dalm et al. (2003) Am. J. Physiol. Endocrinol. Metab. 285:E344-53; Lichtenauer-Kaligis et al. (2004) Eur. J. Endocrinol. 150:565-77）。任意の蛍光単位の相対レベルを以下の表１に示す。興味深いことに、ＴＨＰ−１細胞（これはＢＳＣＩに対して感受性が高い）は、ｓｓｔｒ２について高レベルの表面染色を示し、一方Ｊｕｒｋａｔ Ｔ細胞（これは、ＢＳＣＩに対してほとんど完全に非感受性である）は、実質的に検出できない染色レベルを示す。
【０１３６】
ヒト末梢血白血球は、一般に２つの細胞株間の中間のｓｓｔｒ２の染色を示す。顆粒球（主に好中球）と単球は高レベルのｓｓｔｒ２を発現し、両方のタイプのヒト末梢血白血球はＢＳＣＩに対して感受性であることが知られている。Ｔリンパ球（ＣＤ３＋）は、より低いが検出できるレベルを発現し、全ＣＤ３＋集団が均一に染色されたため、これはＣＤ４＋（ヘルパー）とＣＤ８＋（キラー）Ｔ細胞集団の両方で同様の可能性がある。これに対してｓｓｔｒ２は、ＢＳＣＩに対して非感受性の細胞であるＢリンパ球集団上で検出されなかった（インビボで新抗原に応答した抗体生成に対するＢＳＣＩの作用の欠如に一致する）。
【０１３７】
【表２】
2012519272.tif 000003
【０１３８】
表１．種々の白血球集団でフローサイトメトリーにより推定したｓｓｔｒ２細胞表面染色の相対レベル。aＳＳＣは、サイドスキャッターに基づくゲート制御を示す。顆粒球が、その細胞質顆粒の結果として、特徴的に高い光分散性を有するためである。
【０１３９】
ｓｓｔｒ２のｍＲＮＡの存在はＴＨＰ−１細胞で確認され（図９）、定性的ＰＣＲによりＪｕｒｋａｔ Ｔ細胞中に存在しないことが証明された。これは、これらの試験で抗体試薬の予測された特異性を確認している。さらに我々は、ＴＨＰ−１細胞中に存在する大部分のｓｓｔｒ２がｓｓｔｒ２ａアイソフォームであることを証明した（これらの細胞中のｍＲＮＡのスプライシングパターンに基づく；図３と９）。フローサイトメトリー実験で使用した抗体がｓｓｔｒ２ａとｓｓｔｒ２ｂアイソフォームを区別するかどうかは不明であるが、示された結果は、抗体がｓｓｔｒ２ａアイソフォームを検出できることを強く示唆する。
【０１４０】
我々は、白血球の原形質膜上のｓｓｔｒ２の存在がＢＳＣＩに対する感受性と相関すると結論付けた。特に、検出可能なｓｓｔｒ２発現の無い細胞が、ケモカイン誘導性細胞遊走のＢＳＣＩ介在阻害に対して非感受性であることを注目している。
【０１４１】
実施例４：ＢＳＣＩはｓｓｔｒ２に結合する
我々は、標識ＢＳＣＩリガンドを使用する従来の平衡結合試験を使用して、ＢＳＣＩとｓｓｔｒ２受容体との分子相互作用を調べた。これらの試験について我々は、不飽和前駆体の接触水素化によりトリチウム（すなわち［3Ｈ］）で標識した型で容易に合成できるアミノラクタムＢＳＣＩ ＢＮ８３２５０を使用した（図１０）。不飽和前駆体である（Ｓ，Ｅ）−３−（２’，２’−ジメチルドデク−４’−エノイルアミノ）−カプロラクタムを、すでに報告されているように合成した（ＷＯ２００５／０５３７０２）。
【０１４２】
方法：（Ｓ，Ｅ）−３−（２’，２’−ジメチルドデク−４’−エノイルアミノ）−カプロラクタムから、パラジウム触媒（CRB Ltd, Cleveland, UK）上でトリチウムガスを使用した接触水素化により、［3Ｈ］−ＢＮ８３２５０を合成し、トリチウム化生成物をエタノール中２７０μMの濃度で比活性２２０Ci/mmolで得た。（Ｓ，Ｅ）−３−（２’，２’−ジメチルドデク−４’−エノイルアミノ）−カプロラクタムは以下のように製造した：水（３０ml）中の（Ｓ，Ｓ）−３−アミノカプロラクタムヒドロ−ピロリジン−５−カルボキシレート（１０mmol）とＮａ2ＣＯ3（３０mmol）を、２，２−ジメチル−ドデカ−４−エノイルクロリド（１０mmol）のジクロロメタン（３０ml）溶液に周囲温度で加え、反応物を１２時間攪拌した。次に有機層を分離し、水層を追加のジクロロメタンで抽出した（２×２５ml）。一緒にした有機層をＮａ2ＣＯ3上で乾燥し、真空下で濃縮した。残渣をシリカカラムクロマトグラフィー（１：１ ＥｔＯＡｃ：ヘキサンからＥｔＯＡｃ）で精製して、（Ｓ，Ｅ）−３−（２’，２’−ジメチル−ドデク−４’−エノイル）アミノ−カプロラクタムを無色の油状物として得た（２．１２ｇ，６３％）。放射能標識化合物を暗所で４℃で、必要な時まで保存した。使用前に、非標識ＢＮ８３２５０を添加して比活性を調整した。
【０１４３】
結合の解析のために、ゲイの平衡塩類溶液中の１×１０6のＴＨＰ−１細胞、１０mM ［3Ｈ］−ＢＮ８３２５０（５０ Ci/mmol）、及び種々の濃度の（Ｓ）−３−（２’，２’−ジメチルプロピオノイルアミノ）−テトラヒドロピリジン−２−オン（１０pM〜１０μM）を用いて、個々の反応物を構成した（各条件について３回測定）。過剰（１００μM）の非標識ＢＮ８３２５０を使用して、非特異結合のレベルを測定した。４℃で２時間後（平衡結合を達成することがすでに証明されている条件、かつこれは結合の過剰推定を引き起こす放射能標識の取り込みを防ぐ）、過剰の標識物を遠心分離（５mlのゲイの平衡塩類溶液を用いて３回洗浄）して洗い流し、可溶化した細胞ペレットのシンチレーション計測により、結合した放射活性を測定した。
【０１４４】
結果：［3Ｈ］−ＢＮ８３２５０は、平衡条件下でＴＨＰ−１細胞への特異的で競合性の結合を示す。結合のScatchard解析は、約８０nMの親和性を有する、細胞当たり１００，０００〜２００，０００部位で存在する１つの結合部位に一致する（図１１）。ＢＮ８３２５０のＴＨＰ−１細胞への特異的結合は、過剰（１００μM）のｓｓｔｒ２アンタゴニストＢＮ２３６２７により６０〜８０％（実験に依存する）阻害される（図１２）。ｓｓｔｒ２が欠如したＪｕｒｋａｔ Ｔ細胞では特異的結合はほとんど検出されなかった（＜２０，０００部位／細胞）が、ｓｓｔｒ２を発現するベクターを用いた安定なトランスフェクション後に特異的結合が回復された（ｓｓｔｒ２を発現する安定なＪｕｒｋａｔ Ｔ細胞株の調製については実施例５を参照）。まとめるとこれらの結果は、この結合部位がｓｓｔｒ２であり、ＢＮ８３２５０の観察されたＢＳＣＩ活性の原因である結合相互作用であることを証明する。
【０１４５】
我々が以前最も高効力のＢＳＣＩの１つであるとして記載した（ＷＯ２００９／０１６３９０）（Ｓ）−３−（２’，２’−ジメチルプロピオノイルアミノ）−テトラヒドロピリジン−２−オンが、この結合部位で競合する作用を図１２に示す。（Ｓ）−３−（２’，２’−ジメチルプロピオノイルアミノ）−テトラヒドロピリジン−２−オンは、［3Ｈ］−ＢＮ８３２５０と、ｓｓｔｒ２での結合に対して用量依存的に競合し、ＥＤ５０が約５０pMであり、Hillスロープが約−１．０であり、それらは単純モードの競合結合を示唆する。高レベルの（Ｓ）−３−（２’，２’−ジメチルプロピオノイルアミノ）−テトラヒドロピリジン−２−オン（１nM以上）は、ＢＮ８３２５０結合を８０〜９０％阻害し、２つの分子が基本的に同一の結合部位を共有することを示唆する。ペプチド３（Reckless & Grainger (1999) Biochem. J. 340:803-11）、ＮＲ５８−３．１４．３（Reckless et al. (2001) Immunology 103:244-54; WO99/12968）、（Ｓ）−３−（アダマンタン−１’−カルボニルアミノ）−カプロラクタム（ＷＯ２００６／０１６１５２）、及び（Ｓ）−３−（１’−メチオニンシクロヘキシル−１’−カルボニルアミノ）−カプロラクタム（ＷＯ２００６／１３４３８４）を含む、試験した他のＢＳＣＩ化合物もまた、ｓｓｔｒ２への結合に対して、ＢＮ８３２５０と同程度に競合する。
【０１４６】
ＴＨＰ−１細胞への（Ｓ）−３−（２’，２’−ジメチルプロピオノイルアミノ）−テトラヒドロピリジン−２−オンの結合の見かけの親和性定数は、インビトロアッセイ（実施例１参照）でのＢＳＣＩ活性のピコモーラーＥＤ５０に一致するが、古典的ｓｓｔｒ２アゴニスト活性についてのＥＤ５０より数オーダー低い（実施例７参照）。我々は、現在まで記載されているＢＳＣＩのすべての群がｓｓｔｒ２に結合し、この相互作用が化合物のＢＳＣＩ活性の原因であると結論付けた。
【０１４７】
実施例５：ｓｓｔｒ２の発現は細胞株にＢＳＣＩ感受性を付与する
ここで我々は、ｓｓｔｒ２受容体の（強制）発現がＢＳＣＩに感受性を付与するのに必要かつ十分であることを証明する。我々はすでに、フローサイトメトリーにより測定されるｓｓｔｒ２の細胞表面発現がＢＳＣＩに対する感受性と相関し、従ってｓｓｔｒ２をほとんどまたは全く含まない細胞はＢＳＣＩに対して非感受性であるが、高レベルのｓｓｔｒ２を有する細胞は、ケモカイン誘導性遊走のＢＳＣＩ介在阻害に対して感受性であることを既に示している。より高レベルのｓｓｔｒ２は、ＢＳＣＩ作用の効力の上昇に関連している。しかしこの相関は、ｓｓｔｒ２がＢＳＣＩ活性の原因であることを確証的に実証していない。
【０１４８】
我々は組換えＤＮＡ技術を使用して、白血球細胞株であるＪｕｒｋａｔ Ｔ細胞株（これは通常ｓｓｔｒ２を発現しない）中のｓｓｔｒ２の異所性発現を強制的に行った。達成された発現レベルをフローサイトメトリーにより測定した。次に、安定にトランスフェクトされた細胞株のＢＳＣＩに対する感受性を測定し、親Ｊｕｒｋａｔ Ｔ細胞株と比較した。
【０１４９】
方法：RNAqueous 4PCR キット（Ambion, Cat code #1914）を使用して製造業者の説明書に従って、Ｐａｎｃ−１細胞（高レベルのｓｓｔｒ２を発現することが知られているヒト膵臓細胞株）から総ｍＲＮＡを調製した。次にｍＲＮＡを逆転写（RETROscriptキットを使用; Ambio）して、ｃＤＮＡ調製物を得た。次にＰＣＲ（Peltier PTC-200サーマルサイクラーを製造業者の説明書に従って使用して以下のサイクル時間と条件を使用して行った：９４℃で２分後、９４℃で３０秒、５５℃で３０秒、７２℃で１分を３０サイクル、そして最後に７２℃で１０分）により、ｓｓｔｒ２遺伝子の完全長ｃＤＮＡを得て、分取ゲル電気泳動により単離した。ｓｓｔｒ２ ｃＤＮＡの配列を配列決定により確認した。ｓｓｔｒ２ ｃＤＮＡをＥｃｏＲＩとＸｈｏＩにより処理して粘性末端を得た。これはポリリンカーへのプラスミドｐｃＤＮＡ３．１＋（Invitrogen）の指向性クローン化と次の連結を可能にした（１０μlの連結反応を４００ Ｔ４ ＤＮＡリガーゼ（New England Biolabs）を用いて行い、リガーゼ緩衝液中挿入体：プラスミド比３：１を有する最大量のＤＮＡを１３℃で一晩インキュベートした）。得られたベクター（図１３参照）を使用して、標準的方法によりＸＬ−１０ Ultracompetent 細胞（Stratagene）を形質転換した。MiniPrep キット（(Wizard Plus SV Minipreps DNA purification System; Promega）を使用して、Ｊｕｒｋａｔ Ｔ細胞へのトランスフェクションについて製造業者の説明書に従って、プラスミドＤＮＡを調製した。
【０１５０】
Ｊｕｒｋａｔ Ｔ細胞はＲＰＭＩ＋１０％胎児牛血清（ＦＣＳ）で培養し、４日毎に新鮮な培地で１：３希釈して継代培養した。継代培養の４８時間後の対数増殖期のＪｕｒｋａｔ Ｔ細胞を遠心分離して洗浄し、無血清ＲＰＭＩ培地に７．５×１０5細胞／mlで再懸濁した。次に、ＤＮＡとトランスフェクション試薬の混合物（２μgのＤＮＡ；３μlのFugene 6 トランスフェクション試薬; Roche）を加え、細胞を３７℃で４８時間インキュベートした。次に細胞をＲＰＭＩ＋１０％ＦＣＳで遠心分離して３回洗浄し、次に新鮮な培地に１×１０5細胞／mlで懸濁した。次に、生じた細胞懸濁液の６８mlを９６ウェルプレート（Corning）中の全部で２２６ウェルに蒔いた。４８時間後、培地にＧ４１８（０．９mg/ml Active G418）を加えてトランスフェクション体を選択し、継代培養を繰り返して細胞を拡張し、個々のウェルからの集団（クローン性又はオリゴクローン性と見なされた）を別々に維持した。細胞集団を２５cm2のフラスコ（全部で約５×１０6細胞）に拡張した後、少量の試料を取りだし、フローサイトメトリーによりｓｓｔｒ２の発現を試験した。
【０１５１】
こうして、ヒトｓｓｔｒ２抗体（Sigma、S0694；使用したフローサイトメトリープロトコールの詳細については実施例３を参照）を使用してフローサイトメトリーにより検出された、高レベルのｓｓｔｒ２を細胞表面に発現する多くの個々の細胞株が得られた。これらのうち１つの株（Ｊｕｒｋａｔ−Ｄ３Ｂと命名）は、末梢血の単球（健常なヒト末梢血中の最大発現細胞集団；実施例３を参照）に匹敵する高レベルのｓｓｔｒ２を発現することがわかったが、Ｊｕｒｋａｔ−Ｄ３Ｂ中のｓｓｔｒ２のレベルはＴＨＰ−１細胞中よりはまだかなり低かった（図１４）。
【０１５２】
結果：ＳＤＦ−１α受容体であるＣＸＣＲ４のレベルは、Ｊｕｒｋａｔ−Ｄ３Ｂ細胞株と親Ｊｕｒｋａｔ Ｔ細胞株とで同じであった。さらにＪｕｒｋａｔ−Ｄ３Ｂ細胞は、Transwell（登録商標）化学走化性アッセイ（使用した方法については実施例１を参照）で親細胞株と同様の濃度範囲にわたって、ＳＤＦ−１αに応答した。我々は、Ｊｕｒｋａｔ Ｔ細胞とＪｕｒｋａｔ−Ｄ３Ｂ細胞がこの実験の条件下で同じケモカイン誘導性遊走を示し、従ってＢＳＣＩに対するその感受性の比較に適していると結論付けた。
【０１５３】
Ｊｕｒｋａｔ Ｔ細胞及びＪｕｒｋａｔ−Ｄ３Ｂ細胞は、１００ng/ml ＳＤＦ−１α（R&D systems；両方の細胞株で最大の細胞遊走を誘導したＳＤＦ−１αの濃度）に応答して誘導され遊走した。次にＢＳＣＩ ＢＮ８３２５０を０nM〜１０００nM（それぞれ３回測定）の種々の濃度で上の区画と下の区画に加えた（ＢＳＣＩ濃度の勾配を生じないように、各区画で同じ濃度で）。ＤＭＳＯ（１％最終濃度）をビヒクルとして使用し、すべてのウェルで等しい濃度で存在させた。
【０１５４】
以前の結果（実施例３参照）に一致して、低レベル又は検出できないレベルのｓｓｔｒ２を発現する（図１４）親Ｊｕｒｋａｔ Ｔ細胞は、ＢＮ８３２５０に対して実質的に非感受性であった（ＴＨＰ−１細胞株のような感受性細胞上でこのＢＳＣＩについてのＥＤ５０＜１nMと比較して、ＥＤ５０は１μMよりかなり高かった）。これに対して、中程度のレベルのｓｓｔｒ２を発現する（図１４）Ｊｕｒｋａｔ−Ｄ３Ｂ細胞は、ＢＮ８３２５０に対して実質的により感受性であった（図１４）。Ｊｕｒｋａｔ−Ｄ３Ｂ上のＢＮ８３２５０のＥＤ５０は約１０nMであり、ｓｓｔｒ２の異所性発現の結果として、ＢＳＣＩ感受性の１００倍を超える上昇であった。挿入体の無いｐｃＤＮＡ３．１のトランスフェクションと選択により、親Ｊｕｒｋａｔ Ｔ細胞と同様にＢＮ８３２５０に対して非感受性であるＪｕｒｋａｔ Ｔ細胞株が得られた。
【０１５５】
Ｊｕｒｋａｔ−Ｄ３Ｂはまた、ペプチドＮＲ５８−３．１４．３やバレロラクタム（Ｓ）−３−（２’，２’−ジメチルプロピオノイルアミノ）−テトラヒドロピリジン−２−オンのような、構造が異なる他のＢＳＣＩによる阻害に対しても感受性であったが、各場合に、その効力はＴＨＰ−１細胞上より有意に低かった。これはおそらく、ＴＨＰ−１細胞と比較してＪｕｒｋａｔ−Ｄ３Ｂ中で達成される低レベルのｓｓｔｒ２発現を反映している（図１４）。薬理学的物質に対する応答の効力は、（いわゆる「スペア受容体」の結果として）受容体発現のレベルと相関することは公知である。我々のデータは、ＢＳＣＩに対する感受性が細胞表面のｓｓｔｒ２発現のレベルに依存するという提唱と一致する。
【０１５６】
我々は、白血球細胞にＢＳＣＩに対する感受性を付与するのに、ｓｓｔｒ２発現が必要かつ十分であると結論付けた。
【０１５７】
実施例６：従来のｓｓｔｒ２アゴニストはインビトロでＢＳＣＩ活性が無い
ＢＳＣＩ活性を有する種々の構造が異なる化合物が、ｓｓｔｒ２を介して作用することが証明されている。（ｓｓｔｒ２を、これらのＢＳＣＩの活性の分子標的として確認している。実施例１〜５を参照。）ｓｓｔｒ２ですべてのアゴニストがＢＳＣＩ活性を有するか、又はＢＳＣＩとして機能的に同定された化合物がｓｓｔｒ２アゴニストの特殊なクラスであるかどうかを調べるために、我々は一連の古典的ソマトスタチン受容体を、インビトロでのＢＳＣＩ活性について試験した。
【０１５８】
方法：実施例１に記載されたように正確に白血球遊走アッセイを行った。簡単に説明するとＴＨＰ−１細胞は、ChemoTx（商標）９６ウェルプレート遊走系（Neuroprobe Inc., Gaithersburg, MD）中で２５ng/mlのＭＣＰ−１に応答して、遊走が誘導された。種々の古典的ｓｓｔｒ２アゴニストを異なるウェル（３回測定）に、等しい濃度で上の区画と下の区画の両方に加えた（正確に、前述のアシルアミノラクタムのＢＳＣＩ活性を証明する実験と同じように；Reckless & Grainger (1999) Biochem. J. 340:803-11; Fox et al. (2002) J. Med. Chem. 45:360-70; Fox et al. (2005) J. Med. Chem. 48:867-74）。３７℃で２時間後、生体染色色素であるＭＴＴ及び標準曲線の内挿を使用して、すべて実施例１と同じように正確に、下の区画に遊走した細胞の数を調べた。
【０１５９】
結果：ｓｓｔｒ２で天然のペプチドリガンドであるソマトスタチン（ｓｓｔ１４）は、ＢＳＣＩ活性をほんのわずかに再現するのみであった（図１５）。注目すべきは、ｓｓｔ１４の最大用量（１μM）でさえ、達成される白血球遊走の最大阻害は、具体的な実験に依存して４０〜６０％であった。１０nMより高いｓｓｔ１４濃度では、細胞上のすべてのｓｓｔｒ２受容体が占有され、従って遊走を完全に阻止できないことは、ＢＳＣＩと比較してｓｓｔ１４に応答してｓｓｔｒ２がシグナルを出す方法の定性的差を表す。
【０１６０】
さらにｓｓｔ１４は、ｓｓｔｒ２結合の結合定数（約０．０５nM）より高い濃度で白血球遊走を阻害するのみであるが、現在まで試験したすべてのＢＳＣＩは、その結合親和性より低い濃度で白血球遊走を阻害する。これらの観察結果は、ＢＳＣＩが古典的ｓｓｔｒ２アゴニスト（例えば天然のリガンドであるｓｓｔ１４）より強力なシグナル（白血球遊走に関して）を誘導することを示唆する。その結果ＢＳＣＩは、白血球遊走を最大阻害するのに細胞表面受容体のほんのわずかを占有すればよいが、従来のｓｓｔｒ２アゴニストは基本的にすべての受容体を占有しなければならず、それでも最大阻害は達成されない。
【０１６１】
別にプロセシングされたｓｓｔｒ２８天然のリガンドを使用して同様の実験を行い、同様の結果が得られた。白血球遊走はｓｓｔｒ２での結合親和性より高い濃度でのみ阻害され、最大阻害は非常に高用量でもわずかに４０〜６０％であった。臨床的に先端巨大症で成長ホルモン放出を抑制するのに使用される、合成ソマトスタチン類縁体ナンレオチド（lanreotide）（Prevost et al. (1991) Endcrinology 129:323-9）を使用して、再度同様の結果が得られた。
【０１６２】
我々はまた、その受容体結合特性が完全には決定されていない、最近記載されたソマトスタチン類縁体であるコルチスタチン（de Lecea et al. (1996) Nature 381:242-5）を試験した。コルチスタチンは、ｓｓｔｒ２での異なるクラスの天然のリガンドである可能性がある。しかし我々は、コルチスタチンが、白血球遊走に対してその作用がソマトスタチンと非常によく似ている（非常に高用量で使用しても、約５０％の遊走を阻害するのみ）が、はるかに低効力である（ＥＤ５０＝約７５nM；表２）ことを見いだした。従って現在まで、ｓｓｔｒ２受容体に対する天然のリガンドは、同じ受容体で作用するアシルアミノラクタムの強力なＢＳＣＩ活性を再現できていない。
【０１６３】
最後に我々は、Ipsen（Paris, France）により提供され、後述の表２と３で「ＢＩＭ」と呼ぶ、一連の合成ｓｓｔｒ２選択的及び特異的アゴニストを試験した。ソマトスタチンは広く同様の親和性ですべてのソマトスタチン受容体に結合し、弱いＢＳＣＩ様活性は、異なる受容体を介して生成された反対のシグナルによる可能性がある。しかし、１０μMで白血球遊走を阻害した（しかし、これより低用量では阻害しなかった）ＢＩＭ２３０６５を除いて、これらの選択的又は特異的な従来のｓｓｔｒ２アゴニストはいずれも、白血球遊走阻害アッセイで大きな活性を示さなかった（表２）。
【０１６４】
【表３】
2012519272.tif 000004
【０１６５】
表２．種々の公知の又は疑いのあるｓｓｔｒ２アゴニスト化合物のｓｓｔｒ２での結合定数（「Ｋａ」）、及びＭＣＰ−１誘導性ＴＨＰ−１細胞の遊走の阻害のためのＥＤ５０。試験した最高用量（１〜１０μM）で観察された最大阻害（「最大作用」）も示される。
【０１６６】
ｓｓｔｒ２でのコルチスタチンの親和性は明確に報告されていない。ＢＩＭ２３０６５は、試験した最大の可能な濃度（１０μM）で細胞遊走を８５％阻害し、従ってこれが達成できる最大作用かどうかは不明である。ＢＩＭ２３Ａ３８７は、Pawlikowsky et al. (2007) J. Physiol. Pharmacol. 58:179-88に記載され、ＢＩＭ２３１２０はFerrante et al. (2006) Endocrine-Related Cancer 13:955-62に記載されている。
【０１６７】
これらの結果はまとめると、ＢＳＣＩが特殊なクラスのｓｓｔｒ２アゴニストであり、ほとんどの化合物（天然のリガンドを含む）は、ＢＳＣＩとして知られている物質より、白血球遊走を阻害する（及び従ってインビボでの抗炎症活性を示す）能力がはるかに低いことを示す。ＢＳＣＩが古典的アゴニストとは異なる程度を図１６（この図はケモカイン誘導性白血球遊走の阻害についてのｓｓｔｒ２での親和性対ＥＤ５０をプロットする）に示す。ＢＳＣＩは一緒に集まり、従来のアゴニストにより顕著に分離される。従って、この試験の組合せを使用して、新規であって、構造が特有のＢＳＣＩ群（既知のＢＳＣＩと構造類似性が無い）を明確に同定することができる。
【０１６８】
さらに、ここに示した方法は、天然のリガンドｓｓｔ１４とその臨床的類縁体ランレオチド（lanreotide）（Paran & Paran (2003) Curr. Opin. Invetig. Drugs 4:578-82; Sener et al. (2005) Peptides 26:493-9; Gonzales-Rey et al. (2007) Ann. Rheum. Dis. 66:582-8 and the references therein; Armani et al. (2007) J. Leukoc. Biol. 81:845-55; Cury et al. (2008) Dig. Dis. Sci. 53:2516-20）を含むいくつかのソマトスタチン受容体アゴニストについて提唱されている、弱くて臨床的にあまり有用ではない抗炎症活性から、ＢＳＣＩを区別することは明らかである。
【０１６９】
ＢＳＣＩを同定するための既存の方法は基本的に、構造活性相関を規定することに基づいて元々のヒット構造周りのさらなるリードを得るための従来の医化学法とともに、ヒットを同定する機能アッセイを使用するランダムスクリーニングに依存した。本明細書に記載の方法は、資源集約的な低〜中処理能力の機能アッセイを、大量処理の低コスト分子スクリーニングで置き換えることを可能にするため、はるかに有用である。本発明のこの実施において、ｓｓｔｒ２との相互作用に基づいてまず化合物が選択され、次に比較的少数の陽性ヒットが、白血球阻害活性についてスクリーニングされて、新しいＢＳＣＩが同定される。この適用は、後述の実施例８と９でさらに例示される。
【０１７０】
実施例７：ＢＳＣＩは白血球遊走を他の従来のｓｓｔｒ２標的より強力に阻害する
ＢＳＣＩはｓｓｔｒ２受容体に対するアゴニストであるが、必ずしもすべてのｓｓｔｒ２受容体アゴニストがＢＳＣＩ活性を示さない。ここで我々は、その逆が真かどうかを調べた：ＢＳＣＩは、他の機能アッセイにより評価される強力なｓｓｔｒ２アゴニスト様活性を有するか？
【０１７１】
「古典的」ｓｓｔｒ２機能のための２つの異なるアッセイを採用した：（１）ｓｓｔｒ２アゴニストにより用量依存的に阻害される成長ホルモンを分泌した胎児ラットの下垂体細胞を培養し、及び（２）ｓｓｔｒ２アゴニストにより用量依存的に阻害されるインスリンを分泌したヒトＰａｎｃ−１細胞株のグルコース感受性サブクローンを選択した。
【０１７２】
方法：胎児ラットの下垂体細胞培養物を、既に記載されているように、酵素分散により正確に樹立した（Murray et al. (2004) J. Clin. Endocrinol. Metab. 89:3027-32）。低グルコースＤＭＥＭ＋１０％ＦＣＳで４８時間後、４８ウェルプレート中の細胞（５×１０4細胞／ウェル）を無血清ＤＭＥＭで４時間洗浄し、次に無血清ＤＭＥＭ中でさらに２４時間、種々の濃度の試験物質とともにインキュベートした。この時間の最後に、調整培地を採取し、細胞破片を遠心分離して除去し、市販のＥＬＩＳＡ（Linco; cat# EZRMGH-45K）を使用して、製造業者の説明書に従ってＧＨについて測定した。
【０１７３】
ヒトＰａｎｃ−１（外分泌膵臓の多型類上皮癌から得られる細胞株）のグルコース感受性サブクローンを、基本的にHamil et al. (2008) Biomed. Sci. Instrum. 44:441-6が記載したように得た。簡単に説明するとＰａｎｃ−１細胞を２４ウェルプレートで継代培養し、培地に５％グルコースを補足した。７２時間後、グルコース感受性の丸い表現型への最も顕著な変化を示したウェルを選択し、通常の培地で拡張した。次に得られたサブ株を、９６ウェルプレートのウェル（５×１０4細胞／ウェル）を調製することによりグルコース感受性について試験し、これを次に一連のグルコース濃度を含有する培養培地（低グルコースＤＭＥＭ、ＤＭＥＭ、ＤＭＥＭ＋１％グルコース、ＤＭＥＭ＋２．５％グルコース、及びＤＭＥＭ＋５％グルコース）に曝露した。２４時間後、調整培地を採取し、ＥＬＩＳＡ（Linco; cat# EZHI-14K）により製造業者の説明書に従ってインスリン分泌を測定した。
【０１７４】
最も高いグルコース感受性（低グルコースＤＭＥＭと比較して５％グルコース中でインスリン分泌が３．４倍増加した）を有し、実施例３に記載した方法を使用してフローサイトメトリーによりｓｓｔｒ２を発現することが証明されたクローン（Ｐａｎｃ−２Ｈ４）を使用して、我々はグルコース依存性インスリン分泌を調節する種々のｓｓｔｒ２アゴニストの能力を試験した。ＤＭＥＭ中のＰａｎｃ−２Ｈ４（５×１０4細胞／ウェル）を使用して、追加の９６ウェルプレートを調製した。２４時間後、培地を種々の濃度の試験物質を含有するＤＭＥＭ＋５％グルコースに切り替えた（１つの条件について３つのウェル）。さらに２４時間後、調整培地を採取し、インスリン濃度を上記したようにＥＬＩＳＡにより測定した。
【０１７５】
両方のアッセイで、各試験化合物の存在下で２番目に高い濃度の標準物質に曝露したＥＬＩＳＡ中の追加の対照ウェルを含めることにより、ＥＬＩＳＡに対する試験化合物（試験した最も高い濃度）の作用の欠如を証明した。結果を、ビヒクルのみの存在下で細胞からの変化倍数として表した平均±ＳＤとして報告した。
【０１７６】
結果：予想したように、天然のリガンドであるソマトスタチン−１４を含む古典的ｓｓｔｒ２アゴニストは、ラット下垂体細胞からＧＨ分泌を用量依存的に低下させ、１０nMで最大で６４±９％阻害であった（表３）。古典的アゴニストはＰａｎｃ−２Ｈ４によるインスリン分泌に対して同様の作用を有したが、最大作用はより小さかった（４３±７％阻害）。両方のアッセイで、ＧＨ又はインスリン分泌を抑制するのに必要な濃度は、ｓｓｔｒ２への結合についての種々の物質の公知の親和性と一致した。
【０１７７】
これとは顕著に異なり、これらの古典的ｓｓｔｒ２アゴニストは、ケモカインに応答してＴＨＰ−１細胞や末梢血白血球の遊走を阻害することはないか、又はＧＨ及び／又はインスリン分泌を阻害するのに必要な濃度よりかなり高い濃度でのみ阻害した（表３）。
【０１７８】
ペプチドであるペプチド３とＮＲ５８−３．１４．３、ならびにアミノカプロラクタム類ＢＮ８３２５０とＢＮ８３４７０、及びバレロラクタム（Ｓ）−３−（２’，２’−ジメチルプロピオノイルアミノ）−テトラヒドロピリジン−２−オンを含む、構造が異なる種々のＢＳＣＩは、はるかに高濃度でのみＧＨ放出を阻害し（表３）、最大作用は小さかった。これらの物質のいずれも、試験した最大濃度でもＰａｎｃ−２Ｈ４によるインスリン分泌を阻害しなかった。しかし予想したように、これらの物質はケモカインに応答してＴＨＰ−１細胞とラット末梢血白血球の遊走を強力に阻害した（表３）。
【０１７９】
表３の結果をまとめると、ｓｓｔｒ２に結合し、この受容体でアゴニストとして作用する化合物は、容易に２つの群に分類されることを示す。１つの群の物質（本適用の目的のために「古典的」ｓｓｔｒ２アゴニストと呼ぶ）は、ケモカイン誘導性白血球遊走を阻害するよりも高効力でかつ強力にＧＨ分泌とインスリン分泌とを阻害する。第２の新規の群の物質（本適用の目的のために「ＢＳＣＩ型」ｓｓｔｒ２アゴニスト又はソマトタキシン類と呼ぶ）は、ケモカイン誘導性白血球遊走を阻害するよりも高効力でかつ強力にケモカイン誘導性白血球遊走を阻害する。
【０１８０】
【表４】
2012519272.tif 000005
【０１８１】
表３．「古典的」対「ＢＳＣＩ」標的に対する種々のｓｓｔｒ２アゴニストの効力の比較。４つの別々のアッセイにおける１２の構造の異なるｓｓｔｒ２アゴニストの作用の効力（ＥＤ５０、nMで）と出力（ビヒクルと比較した抑制パーセントとしての最大作用）を示す。２つのアッセイは、古典的ｓｓｔｒ２依存性応答（ＧＨ抑制とインスリン抑制）を測定し、２つのアッセイはｓｓｔｒ２を介するＢＳＣＩ活性（ケモカインに応答する白血球遊走の阻害）を測定する。これらの２つの分類の応答の相対的効力は、本発明の方法に従ってｓｓｔｒ２アゴニストを機能的に分類することを可能にする：最初の７つの物質は「古典的」ｓｓｔｒ２アゴニストと分類され、後の５つの物質は「ＢＳＣＩ」ｓｓｔｒ２アゴニストと分類される。略語：ＳＳＴ＝ソマトスタチン；ｎ．ｄ．＝測定されない；「バレロラクタム」＝（３）−３−（２’，２’−ジメチルプロピオノイルアミノ）−テトラヒドロピリジン−２−オン。ＢＮ８３４７０＝（Ｓ）−３−（アダマンタン−１’−カルボニルアミノ）−カプロラクタム。
【０１８２】
これらの機能的に異なるクラスのｓｓｔｒ２アゴニストが存在することを当業者に認めさせたであろう情報はまだ開示されていないが、この現象のいくつかの他の例があり、ここでは同じ受容体に対する異なるアゴニストが、「機能的選択性」として知られている異なる細胞応答を引き起こすことができる（他の受容体におけるこの現象の優れた最近の総説については、Kenakin (2007) Mol. Pharmacol. 72:1393-401を参照）。多くの分子機構がこの現象（例えば、活性状態ベースの選択性、偏りのある作動性、刺激の移動など）の基礎となっているが、基礎となっている分子機構の性質は、本明細書に記載したような単純な機能アッセイにより、群のメンバーを明確に区別する能力にはあまり関連していない。
【０１８３】
ここでｓｓｔｒ２アゴニストの２つのクラスを例示するのに使用される化合物群は、非常に明確であり、容易に区別される（すなわち、いくつかの異なるアッセイで生成する機能的応答の点で、各クラスのすべてのメンバーは、他のクラスのメンバーとよりも、互いによく似ている）。しかし、すべての化合物スペースにわたって、「ハイブリッド挙動」を示す物質が存在する可能性がある。すなわちこれらの物質は、ＧＨ／インスリン分泌及びケモカイン誘導性白血球遊走を、ほぼ等しい効力と出力で阻害する。そのような物質は、ここに提供した方法に基づいて、いずれかのクラスに容易に割り当てることはできないであろう。従って我々は、各クラスのメンバーを明確に規定し、いずれかの分類から「ハイブリッド挙動」化合物を除外する定義を提供した。ケモカイン誘導性白血球遊走アッセイ（すなわち、表３の右側のカラム中で２より大きい比率）よりも、ＧＨ又はインスリン分泌アッセイ中で少なくとも２倍高い効力（すなわち、半最大効力に必要な濃度）を有する分子は、「古典的」ｓｓｔｒ２アゴニストと定義される。逆に、ＧＨ又はインスリン分泌アッセイ（すなわち、表３の右側のカラム中で０．５より小さい比率）よりも、ケモカイン誘導性白血球遊走アッセイ中の少なくとも２倍高い効力又は出力を有する分子は、本発明の方法に従って「ＢＳＣＩ」ｓｓｔｒ２アゴニスト（ソマトタキシン類）と定義される。
【０１８４】
本発明の方法の実施において、同じ種からの細胞を使用してアッセイを比較することが好ましいことに注意されたい。古典的ｓｓｔｒ２標的に対する物質の作用を測定するためにラットの下垂体細胞が使用される本例では、結果は、ラット末梢血白血球のケモカイン誘導性遊走に対する、同じ物質の作用と比較される。同様に、古典的ｓｓｔｒ２標的に対する物質の作用を測定するためにヒトＰａｎｃ−２Ｈ４細胞が使用される場合、結果は、ヒトＴＨＰ−１細胞のケモカイン誘導性遊走に対する、同じ物質の作用と比較される。本発明の方法を、種を超えて適用することは、純粋に２つの種からのｓｓｔｒ２に対する親和性が異なることの結果として、化合物の分類を間違える（両方の方向に）危険がある。例えば、ヒトｓｓｔｒ２よりラットｓｓｔｒ２で１０倍低い親和性を有する化合物は、もしその物質が、ヒトＴＨＰ−１ケモカイン誘導性白血球遊走アッセイにおけるより、ラット下垂体Ｇｈ抑制アッセイで３倍低い効力であった場合、その物質は本発明の方法により「ＢＳＣＩ」ｓｓｔｒ２アゴニストとして間違って分類されるであろう（なぜなら、受容体に対する結合親和性の１０倍の差を補正すると、「古典的」活性は実際には「ＢＳＣＩ」活性より高かったため）。このため、表３中の「古典的」活性と「ＢＳＣＩ」活性との比は、ラットとヒトについて別々に計算される。
【０１８５】
実施例８：本発明の方法に従う、候補ＢＳＣＩの同定（１）
本発明の方法をさらに例示するために、ＢＳＣＩ候補についてＬ−７７９，９７６に関連するｓｓｔｒ２アゴニストを含有する一連のベータ−メチルトリプトファンをスクリーニングするために、それは適用された。Ｌ−７７９，９７６は、記載されている（Rohrer et al. (1998) Science 282:737-40）初期の非ペプチドｓｓｔｒ２選択的アゴニストの１つであり、これは、従来のスクリーニング法、分子設計、及び医化学的アプローチにより発見された。これは、天然のソマトスタチンリガンド中の主要なＱＦＷＫテトラペプチド（配列番号５）に弱く基づくため、古典的ｓｓｔｒ２アゴニスト性を示す（実施例７を参照）。
【０１８６】
興味深いことに、ＱｘＷＫ（配列番号６）もまた、初期ペプチドＢＳＣＩ中の主要なモチーフとして同定された（Fox et al. (2002) J. Med. Chem. 45:360-70）が、現在までに記載されている非ペプチドＢＳＣＩであるｓｓｔｒ２アゴニストはＱｘＷ末端を形成し（図１参照）、一方古典的ｓｓｔｒ２アゴニストはＷＫ末端を形成している。これは、グルタミン模倣物グループと融合したＬ−７７９，９７６の変種が新しいクラスのＢＳＣＩであるという考えにつながる。
【０１８７】
ここで我々は、本発明の方法に従って半ダースの単純な新規Ｌ−７７９，９７６誘導体を試験し、その１つ（「化合物Ｃ」と呼ぶ）が新規構造クラスのＢＳＣＩ化合物の最初のメンバーであることを示す。
【０１８８】
図１７に示す６つの化合物を、ＤＭＳＯビヒクル（１％最終濃度）中０．０１nM〜１，０００nMの種々の濃度で、Ｐａｎｃ−２Ｈ４インスリン抑制アッセイ（正確に実施例７に記載されたように）とケモカイン誘導性ＴＨＰ−１遊走抑制アッセイ（正確に実施例１に記載されたように）とに付した。結果を表４に示す。
【０１８９】
【表５】
2012519272.tif 000006
【０１９０】
表４．Ｌ−７７９，９７６の６つの類縁体の古典的ｓｓｔｒ２アゴニストとＢＳＣＩ ｓｓｔｒ２アゴニスト活性。Ｐａｎｃ−２Ｈ４細胞中のグルコース依存性インスリン分泌の抑制を、正確に実施例７に記載されたように測定した。ケモカイン誘導性ＴＨＰ−１細胞遊走の抑制を、正確に実施例１に記載されたように測定した。ｎ．ｃ．＝比率は計算していない（いずれかのアッセイで不充分な活性を示す化合物について）。
【０１９１】
親Ｌ−７７９，９７６及び化合物Ａは、古典的ｓｓｔｒ２アゴニストである。化合物Ｄ、Ｅ及びＦは、この実験で本発明の方法に従って評価するには、いずれかのアッセイで不充分な活性を有する。化合物Ｂは、古典的ｓｓｔｒ２アゴニスト活性とＢＳＣＩ ｓｓｔｒ２アゴニスト活性の両方を有する。しかしケモカイン誘導性白血球遊走の抑制効力は、インスリン分泌の抑制効力より２倍以上高いため、本発明の方法は、化合物Ｃを、新規であって構造が固有のＢＳＣＩ化合物（ソマトタキシン）として同定する。
【０１９２】
ここで我々は、抗炎症剤としてさらに開発するのに適した、ＢＳＣＩ活性を有する化合物を明確に同定するために、既知のｓｓｔｒ２アゴニスト化合物の一連の類縁体に本発明の方法が如何に適用されるかを例示する。機能アッセイを使用してスクリーニングされる少数の分子を選択するために、ｓｓｔｒ２結合の知識が第１工程で使用されたため、ｓｓｔｒ２への結合の実験的スクリーニングは行なわなかったが、これは本発明の方法の適用であることは明らかである。
【０１９３】
実施例９：本発明の方法に従う、候補ＢＳＣＩの同定（２）
前の例ではＢＳＣＩの分子標的の知識を使用して、既知のｓｓｔｒ２受容体アゴニストの修飾に基づく、機能的スクリーニングのための候補ＢＳＣＩ化合物を設計した。しかし本発明の方法はまた、非常に大きなライブラリーのランダムスクリーニングにも適用することができる。この適用では、まずｓｓｔｒ２を標的として使用する従来の分子スクリーニングが、まずランダムライブラリーからのヒットを同定するために使用され、次に第２段階において、ヒット（又はその類縁体）は、「古典的」ｓｓｔｒ２アゴニスト活性、及び「ＢＳＣＩ」ｓｓｔｒ２アゴニスト（ソマトタキシン）活性のについての一対の機能アッセイを使用してスクリーニングされる。
【０１９４】
方法：ｓｓｔｒ２を発現するように安定にトランスフェクトしたＪｕｒｋａｔ Ｔ細胞（Ｊｕｒｋａｔ Ｄ３Ｂ；実施例５参照）から調製した膜を使用して、ｓｓｔｒ２と相互作用する化合物の分子スクリーニングを確立した。簡単に説明するとＪｕｒｋａｔ Ｄ３Ｂ細胞（調製物当たり５×１０7個の細胞）をダルベッコーＰＢＳで遠心分離して洗浄し、次にプロテアーゼ阻害剤（１mM ＰＭＳＦ、１００mM ロイペプチン）を含有する１mlの氷冷ダルベッコーＰＢＳに再懸濁した。次に細胞懸濁液を、Dounceホモジナイザーを使用して溶解し、得られたホモジネートを７００×ｇで４℃にて１分遠心分離して、壊れていない細胞と大きな細胞断片をペレット化した。上清を取り出し、超遠心分離管に移し、６０，０００×ｇで４℃にて２時間遠心分離して、膜断片のペレットを得た。ペレットを、プロテアーゼ阻害剤を含有する氷冷ダルベッコ（Dulbecco）−ＰＢＳで静かに洗浄し、次にプロテアーゼ阻害剤を含有する１００μlのダルベッコ−ＰＢＳに再懸濁した。次にクマシープラス（Coomassie Plus）キット（Pierce）を使用して製造業者の説明書に従ってタンパク質濃度を測定し、プロテアーゼ阻害剤を含有するダルベッコ−ＰＢＳのさらなる添加により最終濃度を２mg/mlに調整した。次に凍結防止剤として等量のグリセロールを加え（５０％グリセロール中１mg/mlの総タンパク質濃度の膜のストック調製物を与える）、使用するまでストックを−８０℃で最大１ヶ月間保存した。
【０１９５】
スクリーニングは３８４ウェルマイクロタイタープレートで行った。各ウェルで、結合緩衝液（ゲイの平衡塩類溶液）中１μgのＪｕｒｋａｔ Ｄ３Ｂ膜画分タンパク質、１nMの［125Ｉ］標識ソマトスタチン−１４（４００ mCi/mmol）、及びＤＭＳＯ中１００mg/mlからの最終濃度１mg/mlのライブラリーからの試験化合物からなる１つの反応を、最終反応容量２５μlで構成した。３７℃で２時間（平衡結合に至ることがすでに確立された条件）結合させ、次に反応物を３８４ウェルのマニホールド中ＧＦＣろ過シートでろ過し、０．５％トリトンＸ−１００と３００mM ＮａＣｌをさらに含む１０mlの結合緩衝液を用いて連続流で洗浄した。結合したカウントは定量的シンチグラフィにより評価した。各プレートで、結合の陽性対照としてＢＩＭ２３６２７（１０μM）を使用し、非特異結合を測定するために１００nMの非標識ソマトスタチンを使用した。結合は、ある化合物の存在下での特異的カウントの抑制パーセントとして表した。試験化合物を加えずに全３８４ウェルプレートをアッセイして評価すると、特異的カウントの３８％までの抑制は陰性対照（ビヒクルのみ）レベルより４標準偏差低いレベルであった。その結果、特異的カウントの７６％又はそれ以上の抑制を与える試験物質を陽性ヒットとした。
【０１９６】
このアッセイからのヒットを、正確に実施例４に記載したように、従来のＳｃａｔｃｈａｒｄ解析を使用して確認した。ｓｓｔｒ２への結合の見かけのＫａが１μM又はそれ以上の場合は、化合物をさらに調べた。
【０１９７】
次に、ｓｓｔｒ２で相互作用が確認された化合物を対の機能アッセイで評価した：ｐａｎｃ−２Ｈ４インスリン抑制アッセイ（「古典的」ｓｓｔｒ２アゴニスト活性の推定として、正確に実施例７に記載のように行った）及びケモカイン誘導性ＴＨＰ−１細胞遊走抑制アッセイ（「ＢＳＣＩ」ｓｓｔｒ２アゴニスト活性の推定として、正確に実施例１に記載のように行った）。本発明の方法に従って、ケモカイン誘導性ＴＨＰ−１細胞遊走抑制アッセイで少なくとも２倍高い効力を有する物質が、抗炎症剤としてさらなる研究と開発に適した候補ＢＳＣＩとして選択される。
【０１９８】
結果：２６枚のアッセイプレートを流して（全部で９，８８０化合物をスクリーニングした）、標識ソマトスタチン−１４とｓｓｔｒ２の結合を、７６％を超えて抑制した２８のヒット（０．２８％）が得られた。
【０１９９】
これらの１次ヒットのうち１１個（１次ヒットの３９％；ライブラリーの０．１１％）はＳｃａｔｃｈａｒｄ解析でうまく再現され、９個（繰り返しヒットの８１％；ライブラリーの０．０９％）は、ｓｓｔｒ２に対する見かけの結合親和性が１μMを超えた。
【０２００】
次に、再現されたヒット（ｓｓｔｒ２についての見かけの結合親和性の順位でＡＳＸ．Ａ〜ＡＳＸ．Ｉと呼び、ＡＳＸ．Ａが最も高い見かけの親和性を有する）を、正確に実施例７に記載のように対の機能アッセイを使用して評価し、その結果を表５に示す。
【０２０１】
【表６】
2012519272.tif 000007
【０２０２】
表５．９，８８０の化合物のスクリーニングからの再現された中程度の親和性（１μM又はそれ以上）のヒットの古典的ｓｓｔｒ２アゴニスト及びＢＳＣＩ ｓｓｔｒ２アゴニスト活性。Ｐａｎｃ−２Ｈ４細胞中のグルコース依存性インスリン分泌の抑制を、正確に実施例７に記載のように測定した。ケモカイン誘導性ＴＨＰ−１細胞遊走の抑制は、正確に実施例１に記載のように測定した。ｎ．ｃ．＝比率は計算していない（いずれかのアッセイで不充分な活性を示す化合物について）。Ｌ−７７９，９７６とＢＮ８３２５０のデータを、比較のために古典的タイプのｓｓｔｒ２アゴニストとＢＳＣＩタイプ（ソマトタキシン）のｓｓｔｒ２アゴニストの例として示す。
【０２０３】
驚くべきことに、１１個の化合物のうちの９個はいずれかの機能アッセイで検出可能なアゴニスト活性を有した。ほとんどのＧＰＣＲについて、大量処理スクリーニングにより同定されたヒットの中で、１０％（１０個のうちの１個）未満はアゴニスト活性を有すると予測され得る。この珍しい知見は、ｓｓｔｒ２でのアゴニスト：受容体相互作用の相対的複雑さを反映しているか、又は我々は確立（天然のリガンドの結合について競合）するために選択した具体的なスクリーニングの結果かも知れない。さらにスクリーニングしたライブラリーはランダムではなく、既知のＧＰＣＲアゴニストと構造類似性を有する鋳型を用いてすでに濃縮されていた。
【０２０４】
これらの９個のうち３個は、本発明の方法に従って「古典的」タイプのｓｓｔｒ２アゴニスト活性を有するとして明確に特定できる高いアゴニスト活性を有し（ＡＳＸ．Ａ、ＡＳＸ．Ｃ、及びＡＳＸ．Ｄ）、細胞遊走抑制アッセイよりインスリン抑制アッセイで少なくとも２倍高い効力を有した。これに対して、再現されたヒットのうちで最も低い見かけの結合親和性であった１個のみ（ＡＳＸ．Ｈ）は、インスリン抑制アッセイより細胞遊走抑制アッセイで少なくとも２倍高い効力を有して、明確に「ＢＳＣＩ」タイプのｓｓｔｒ２アゴニスト（１つのソタトタキシン）として特定された。これらの知見は、１個の化合物（ＡＳＸ．Ｄ）がこの細胞遊走抑制アッセイでＡＳＸ．Ｈに匹敵する効力を有したが、「古典的」ｓｓｔｒ２アゴニスト活性についてのインスリン抑制アッセイでも高い効力を有したため、細胞遊走の抑制の機能アッセイでさえ、「ＢＳＣＩ」タイプのｓｓｔｒ２アゴニスト（ソマトタキシン類）を明確に特定するのに、単独では使用できないことを例示する。本発明の方法は、完全に新規な「ＢＳＣＩ」タイプのｓｓｔｒ２アゴニスト（ソマトタキシン類）を特定するのに必要かつ十分である。
【０２０５】
本発明の方法を使用して我々は９，８８０個の化合物をスクリーニングして、ＢＳＣＩとして充分な性質（もちろんＥＤ５０が４５nMでは、それは、我々がすでに記載した最適化リード候補よりインビトロで約１，０００倍低い効力である；例えばＷＯ２００９／０１６３９０参照）を有し、従来の医化学リード最適化プログラムのひな型として機能できるであろう１つの化合物を見つけた。機能アッセイによる９，８８０個の化合物すべての直接スクリーニングは、何カ月もかかったであろう（通常の１週間労働で約１００個の化合物をスクリーニングすることができる）。ＢＳＣＩの分子標的の知識を利用する本発明の方法の適用は、この全モデルスクリーニングをたった１週間で完了することを可能にした。これは、消費される資源の約９９％の削減である。典型的には、医薬業界で行われる大量処理スクリーニングは、本例で我々が使用したものより１０倍〜１００倍多い化合物をスクリーニングできるであろう。そのようなスクリーニングは、本発明の方法を使用すると容易であるが、機能的スクリーニングアッセイを使用すると実現不可能であり、同じスクリーニング量を達成するのにほとんど１０年必要であろうと我々は推定する。
【０２０６】
実施例１０：本発明の方法で同定される候補ＢＳＣＩのインビボ評価
抗炎症特性を有するが、古典的ソマトスタチン受容体アゴニストの内分泌調節性を持たない薬剤として有用な物質を同定するために、本発明の方法に従って化合物Ｐが同定された。
【０２０７】
化合物Ｐはｓｓｔｒ２に結合し、ここでアゴニストとして作用する。図１８に示すように化合物Ｐは、本発明の方法に従うアッセイでケモカインＭＣＰ−１に応答してＴＨＰ−１細胞の遊走を、ＥＤ５０が約０．０５nMで阻害する。
【０２０８】
しかし、図２０に示すように化合物Ｐは、本発明の方法に従って行われたアッセイで、培養下垂体細胞からの成長ホルモン（ＧＨ）の放出を、ＥＤ５０が約２０００nMで阻害したのみである。図２０において、点線は、例えば１０nMのソマトスタチン−１４（古典的ｓｓｔｒ２アゴニスト）を用いて、このアッセイで達成される最大作用（成長ホルモン分泌の約７５％の低下）を示す。その結果、ＥＤ５０用量は、ＧＨ分泌を約３７％低下させた化合物Ｐの用量である。
【０２０９】
こうして化合物Ｐの古典的タイプの活性とＢＳＣＩタイプの活性の比は、約０．００００２５であると計算される。
【０２１０】
インビトロで行われたアッセイがインビボの化合物の活性を予測するものであることを証明するために、３６人の正常で健常なヒト被験者（男性又は女性）を、１２人の被験者の３つの群の臨床試験に入れた。各群１２人の被験者のうち、９人は経口的に化合物Ｐを６０mLの水中の液体薬剤として投与され、残りの３人はプラセボとして６０mLの水のみを投与された。第1群は１５０mgの化合物Ｐを７日間毎日投与され、第２群は５００mgの化合物Ｐを７日間毎日投与され、第３群は１５００mgの化合物Ｐを１０日間毎日投与された。化合物Ｐの投与前、投与期間中、及び投与後の様々な時間に血液試料を採取した。
【０２１１】
化合物Ｐは、約２５時間の半減期で、ヒトでほぼ１００％の経口バイオアベイラビリティを有することがわかった。化合物Ｐへの被験者の予測された曝露は、被験者の血清中の化合物Ｐについて評価済みＬＣ−ＭＳアッセイを使用して確認した。
【０２１２】
予測されたように化合物Ｐは、ヒトで抗炎症性であった。Ｃ−反応性タンパク質（ＣＲＰ）はヒトの炎症レベルの充分認められたマーカーであり、急性及び慢性の炎症反応中に上昇する（Coventry et al. (2009) J. Translational Med. 7: 102を参照）。その結果、血清ＣＲＰレベルは炎症の代替マーカーとして広く受け入れられている。ＣＲＰレベルは、投与の前（投与前）と投与の最後の日（投与後）の血清試料で、市販のＥＬＩＳＡアッセイを使用して測定された。すべての３つの用量の化合物Ｐで処理すると、処理された被験者中のＣＲＰレベルが低下したが、プラセボを投与された被験者では低下しなかった。化合物Ｐ処理の効果（用量に無関係に）を図２１に示す。
【０２１３】
図２１では、充分に確立された臨床的な抗炎症治療薬Medrol（登録商標）（メチルプレドニソロン、コルチコステロイド）と化合物Ｐの作用を比較した。両方の化合物がＣＲＰを同程度に低下させたが、作用は化合物Ｐについてのみ統計的に有意であった（ｐ＝０．０２）。
【０２１４】
図２１の結果は、化合物Ｐが合成コルチコステロイドMedrol（登録商標）と少なくとも同様に有効な抗炎症剤であることを裏付けている。
【０２１５】
しかし、また本発明の方法に従って予測されるように、我々は化合物Ｐが２型ソマトスタチン受容体に結合するが、視床下部下垂体副腎軸（ＨＰＡ軸）のマーカーのパネルに対して効果が無く、従ってヒトで古典的タイプの活性が完全に欠如していることを見いだした。
【０２１６】
化合物Ｐは、非常に高用量であっても、７日間治療したヒトでＧＨレベルに対して何の作用もなかった。さらに化合物Ｐは、非常に高用量であっても、７日間治療したヒトでＡＣＴＨレベルに対して何の作用もなかった。ＡＣＴＨは、ヒトのＨＰＡ軸の乱れの最も感受性の高いマーカーであることが確立されており（Denef (2008) J. Neuroendocrinol. 20: 1-70を参照）、これらの研究をまとめると、化合物Ｐはヒトで臨床的に有用な抗炎症作用を有するが、同じ用量で古典的タイプのソマトスタチン模倣作用を持たないことを裏付けている。
【０２１７】
本例は、２型ソマトスタチン受容体に結合する、本発明の方法に従って同定された化合物が、ヒトで臨床的に有用な抗炎症活性を有し、（これに関連して）好ましくない内分泌調節作用（又は「古典的タイプ」作用）を全く有さないことを裏付けている。
【０２１８】
実施例の要約
実施例をまとめると我々は、ＢＳＣＩが、ソマトスタチン受容体であるｓｓｔｒ２と結合し、この相互作用が白血球におけるＢＳＣＩへの感受性を付与するために必要且つ十分であることを示した（実施例１〜５）。しかし、必ずしも全てのｓｓｔｒ２アゴニストがＢＳＣＩとして作用できるわけでわない（実施例６）。その結果我々は、ＢＳＣＩが、ｓｓｔｒ２受容体アゴニスト（ソマトスタチン受容体を介して機能する走化性の阻害剤であるため、そのクラスを我々は「ソマトタキシン」と呼ぶ；図１８）の、より多くの一般的クラスの、特別な、使用可能に定義されたサブクラスであると結論付けた。このサブクラス化は、有用（これは、既知のクラスとの構造的関係に無関係に新しいＢＳＣＩの同定を可能にするため）であり、新規（これまでは記載されていないため）であり、充分定義され（実施例８と９に例示される、サブクラスのメンバーを明確に区別する方法が示されるため）、且つ驚くべきことである（既存の科学文献又は特許文献はいずれも、ｓｓｔｒ２アゴニストの機能的に明確なサブクラスが存在し得ることを示唆していない）。
【０２１９】
実施例８と実施例９の両方において、新規であって構造が固有のＢＳＣＩ化合物を同定するために、本発明の主題であるＢＳＣＩの分子標的の先行情報を使用した。実施例８では、類縁体作成ための適切な骨格としてＬ−７７９，９７６を選択するために、標的の情報が使用され、そして抗炎症剤としての以後の開発のための最も有望な候補を同定するために、これらの類縁体を、その後に本発明の方法に従う一対のアッセイ（「古典的」ｓｓｔｒ２アゴニスト活性のアッセイと「ＢＳＣＩ」ｓｓｔｒ２アゴニスト活性のアッセイ）を使用してスクリーニングした。実施例９では、ｓｓｔｒ２相互作用性構造について直接的分子スクリーニングを計画及び展開するために、標的の情報が使用された。これは次に、本発明の方法に従って一つのアッセイ（「古典的」ｓｓｔｒ２アゴニスト活性のアッセイと「ＢＳＣＩ」ｓｓｔｒ２アゴニスト活性のアッセイ）の適用によりさらに洗練された。こうして、抗炎症剤としてさらなる開発に最も有望なライブラリー要素が同定された。
【０２２０】
最後に実施例１０において、２型ソマトスタチン受容体に結合する、本発明で同定された化合物が、好ましくない内分泌調節（又は「古典的タイプの」）作用無しで、ヒトで臨床的に有用な抗炎症活性を有することを証明することにより、本発明の方法は有効であることが確認された。
【０２２１】
ＢＳＣＩが、ソマトスタチン２型受容体（ｓｓｔｒ２）に対してアゴニストとして作用することによって、ケモカイン誘導性細胞遊走を阻害し、さらに、ＢＳＣＩ活性を有する物質がｓｓｔｒ２アゴニストの特別なサブクラスである、という驚くべきこと知見は、非常に広範囲の疾患を治療するための新規抗炎症剤として有望なＢＳＣＩ活性を有する物質を同定するためのユニークで有用な新しい方法を提供する。現在まで、新規であって構造が特有であるＢＳＣＩ化合物を同定する唯一の方法は、既存のＢＳＣＩ化合物の構造をさらに修飾する（既存の構造クラス内で既知のＢＳＣＩ化合物の数を有効に拡大する）か、又はＢＳＣＩ活性の機能アッセイで選択されない化合物ライブラリーをスクリーニングする（例えば、本発明の実施例で広く使用されるTranswell（登録商標）細胞遊走アッセイ）ことであった。同じ期間に従来の分子スクリーニングにより数万の化合物が処理されるのと比較すると、現在までに入手できる最良の方法でさえ、機能アッセイによりわずかに数百の新しい化合物しかスクリーニングできない。分子スクリーニングと機能的スクリーニングによる処理速度の２〜３オーダーの差は、本発明の有用性にとって重要である：ランダムな機能的スクリーニングにより新しい構造クラスのＢＳＣＩを見つけることにおいて、資源問題は非現実的なほど大きい。しかし本発明の方法は、まずｓｓｔｒ２受容体を使用して従来の分子スクリーニングを行い、次に第２の工程で、分子スクリーニングからのヒットを機能アッセイによりさらにスクリーニングして、ＢＳＣＩの機能的特性（すなわち、ＧＨ又はインスリン放出の抑制より、ケモカイン誘導性白血球遊走の抑制に対してより高効力を有する物質）を同定する。第１工程の分子スクリーニングは、ランダムライブラリー中の化合物の数を２〜３オーダー減少させるため（妥当な効力ヒットは典型的には、ランダムライブラリーのわずかに０．１〜１％であるため）、以後の機能的スクリーニングの資源の要求性は、スクリーニングされる化合物当たりの利用はより大きくなるが、現実的になる。
【０２２２】
本発明を好適な実施態様を参照して説明してきたが、この種々の修飾態様や変更態様は本発明の精神と範囲を逸脱することなく実施可能であり、このような修飾が本発明に明確に包含されることを当業者は認識し得る。本明細書に開示し、特許請求の範囲に記載した具体例は、全く制限的ではなく、また制限的であるべきではない。
【０２２３】
本明細書に記載したすべての文書は参照のためその全体が本明細書に組み込まれる。
【０２２４】
以下の配列表に記載された配列は本発明の一部を構成する。
【配列表フリーテキスト】
【０２２５】
配列表のフリーテキスト
合成オリゴヌクレオチド（配列番号３〜４）；
天然のソマトスタチンリガンドの主要なＢＳＣＩモチーフ（配列番号５）；
初期ペプチドＢＳＣＩの主要なモチーフ（配列番号６）；
Ｘａａは任意の天然に存在するアミノ酸でよい（配列番号６）。
【図１】
2012519272.tif 000008
【図２】
2012519272.tif 000009
【図３】
2012519272.tif 000010
【図４】
2012519272.tif 000011
【図５】
2012519272.tif 000012
【図６】
2012519272.tif 000013
【図７】
2012519272.tif 000014
【図８】
2012519272.tif 000015
【図９】
2012519272.tif 000016
【図１０】
2012519272.tif 000017
【図１１】
2012519272.tif 000018
【図１２】
2012519272.tif 000019
【図１３】
2012519272.tif 000020
【図１４】
2012519272.tif 000021
【図１５】
2012519272.tif 000022
【図１６】
2012519272.tif 000023
【図１７】
2012519272.tif 000024
【図１８】
2012519272.tif 000025
【図１９】
2012519272.tif 000026
【図２０】
2012519272.tif 000027
【図２１】
2012519272.tif 000028
【配列表】
2012519272000001.app
【国際調査報告】
2012519272.tif 000029
2012519272.tif 000030